(57)【特許請求の範囲】
【請求項１】
呼処理部(CC)と移動性管理部(MM)及び無線資源制御部(RRC)を備えた非同期端末、無線資源制御部を備えた非同期無線網からなり、該非同期無線網が同期式コア網と連動する非同期移動通信システムにおける呼処理方法において、
発信呼メッセージが発生する場合に呼を設定する第1ステップと、
前記非同期端末と前記非同期無線網との間にチャネルを設定する第2ステップと、
無線資源割当基本情報を処理する第3ステップと、
暗号化設定を遂行する第4ステップと、
無線資源を設定する第5ステップと、
サービス構成を遂行する第6ステップと、
通話待機メッセージをユーザに伝送する第7ステップと、
で構成され、
前記第1ステップは、
前記非同期端末の前記呼処理部から発生した発信呼メッセージを前記非同期端末の無線資源制御部に伝送する第8ステップと、
共通制御チャネル(CCCH）を通じて前記無線網の無線資源制御部に接続を要求する第9ステップと、
前記接続要求を受信した後、前記CCCHチャネルを介して前記非同期端末に接続完了メッセージと専用制御チャネル(DCCH)情報を伝送する第10ステップと、
で構成され、
前記第2ステップは、
前記非同期無線網から受信した前記DCCH情報を利用して前記非同期端末で使用される前記DCCHを設定する第11ステップと、
前記DCCHを介して前記非同期無線網に、前記非同期端末の能力案内情報を伝送する第12ステップと、
前記非同期無線網から前記非同期端末能力案内情報に対する確認応答を受信する第13ステップと、
前記DCCHを介して前記非同期無線網に前記発信呼メッセージを伝送する第14ステップと、
で構成されていることを特徴とする非同期移動通信システムにおける呼処理方法。
【請求項２】
前記第3ステップは、
前記発信呼メッセージから必要なメッセージを前記非同期無線網に貯蔵する第15ステップと、
前記発信呼メッセージが発生したというメッセージを前記同期コア網に伝送する第16ステップと、
前記同期コア網から前記非同期無線網に有線資源割当情報と無線資源割当情報とを伝送する第17ステップと、
前記非同期無線網で前記有線資源を設定する第18ステップと、
前記無線資源割当基本情報を前記非同期端末に伝送する第19ステップと、
で構成されていることを特徴とする請求項1に記載の非同期移動通信システムにおける呼処理方法。
【請求項３】
前記第4ステップは、
前記無線資源割当基本情報から暗号化情報を抽出して前記暗号化情報を前記非同期端末に貯蔵する第20ステップと、
暗号化完了メッセージを前記非同期無線網に伝送する第21ステップと、
で構成されていることを特徴とする請求項2に記載の非同期移動通信システムにおける呼処理方法。
【請求項４】
前記第5ステップは、
暗号化完了メッセージを受信した後、前記無線資源設定のための無線資源基本情報を前記非同期移動通信端末に伝送する第22ステップと、
前記無線資源基本情報を前記非同期端末に貯蔵する第23ステップと、
前記貯蔵された無線資源情報を利用して前記無線資源を設定する第24ステップと、
無線資源設定完了メッセージを前記非同期無線網に伝送する第25ステップと、
で構成されていることを特徴とする請求項3に記載の非同期移動通信システムにおける呼処理方法。
【請求項５】
前記第6ステップは、
前記無線資源設定完了メッセージを受信した後、前記非同期端末にサービス構成情報を伝送する第26ステップと、
前記サービス構成情報が前記非同期端末に貯蔵される第27ステップと、
前記サービス構成を完了した後、前記非同期無線網にサービス接続完了メッセージを伝送する第28ステップと、
で構成されていることを特徴とする請求項4に記載の非同期移動通信システムにおける呼処理方法。
【請求項６】
前記第7ステップは、
前記サービス接続完了メッセージを受信した後、前記無線資源設定完了メッセージを前記同期コア網に伝送し、前記同期コア網から前記非同期無線網に通話待機メッセージが伝送されれば前記通話待機メッセージを前記非同期端末に伝送する第29ステップで構成されていることを特徴とする請求項5に記載の非同期移動通信システムにおける呼処理方法。
【請求項７】
呼処理部(CC)と無線資源制御部(RRC)とを備えた非同期端末、無線資源制御部を備えたソース非同期無線網からなり、同期コア網と少なくとも一つ以上の目標(target)非同期無線網と連動する非同期移動通信システムにおけるハンドオフ処理方法において、
ハンドオフすべきことを決定する第1ステップと、
ハンドオフすべき前記目標非同期無線網を選択する第2ステップと、
ハンドオフ要求に応答して、ハンドオフ関連情報を提供してハンドオフ準備を完了する第3ステップと、
前記非同期端末と前記目標非同期無線網との間に接続を設定してハンドオフを完了する第4ステップと、
前記非同期端末と前記ソース非同期無線網との間の接続を解除する第5ステップと、
で構成され、
前記第1ステップは、
前記ソース非同期無線網から受信した無線リンク測定関連情報を利用して、前記非同期端末で無線リンクの能力を測定する第6ステップと、
前記ソース非同期無線網に無線リンク測定リポートメッセージを伝送する第7ステップと、
前記無線測定リポートメッセージを利用して、前記ソース非同期無線網でハンドオフの可否を決定する第8ステップと、
で構成され、
前記第2ステップは、
ハンドオフと決定された場合、前記同期コア網にハンドオフ要求メッセージを伝送する第9ステップと、
前記同期コア網で前記ハンドオフ要求メッセージを分析することによって、前記目標非同期無線網に対する情報を把握する第10ステップと、
で構成され、
前記第3ステップは、
前記同期コア網から前記目標非同期無線網にハンドオフ要求メッセージを伝送する第11ステップと、
前記ハンドオフ要求メッセージを利用して、前記目標非同期無線網で前記ソース非同期無線網と前記非同期端末関連情報を分析して貯蔵する第12ステップと、
前記目標非同期無線網から前記同期コア網にハンドオフ要求確認メッセージを伝送し、前記同期コア網から前記ソース非同期無線網にハンドオフ命令メッセージを伝送し、前記ソース非同期無線網から前記非同期端末に物理的チャネル(physical channel)再構成RRCメッセージを伝送する第13ステップと、
前記非同期端末から前記ソース非同期無線網に、前記非同期端末がハンドオフ準備ができたことを報せるメッセージを伝送する第14ステップと、
前記ソース非同期無線網から前記同期コア網にハンドオフスタートメッセージを伝送する第15ステップと、
で構成されていることを特徴とする非同期移動通信システムにおけるハンドオフ処理方法。
【請求項８】
前記物理的チャネル再構成RRCメッセージは、目標非同期無線網に関する情報をさらに含むことを特徴とする請求項7に記載の非同期移動通信システムにおけるハンドオフ処理方法。
【請求項９】
前記第4ステップは、
前記非同期端末と前記目標非同期無線網との間に無線リンク設定及び同期合せ作業を遂行する第16ステップと、
前記非同期端末と前記非同期無線網との間に階層3シグナルリングと専用制御チャネル(DCCH）を設定する第17ステップと、
で構成されていることを特徴とする請求項7に記載の非同期移動通信システムにおけるハンドオフ処理方法。
【請求項１０】
前記第5ステップは、
前記端末から前記ハンドオフが完了したというメッセージを受信した後、ハンドオフ完了メッセージを前記目標非同期無線網から前記同期コア網に伝送する第18ステップと、
前記ソース非同期無線網の有線資源と無線資源とを解除するための解除命令メッセージを前記同期コア網から前記ソース非同期無線網に伝送する第19ステップと、
前記無線資源が解除されるべきことを報せるメッセージを前記ソース非同期無線網から前記非同期端末に伝送する第20ステップと、
前記非同期端末で無線専用資源を解除した後、無線資源解除完了メッセージを前記非同期端末から前記ソース非同期無線網に伝送する第21ステップと、
前記ソース非同期無線網からRRC接続解除メッセージを受信した後、前記非同期端末で前記階層3シグナルリング及び無線共用資源を解除する第22ステップと、
前記非同期端末から前記ソース非同期無線網にRRC接続解除完了メッセージを伝送する第23ステップと、
前記ソース非同期無線網から前記同期コア網に、前記非同期端末と前記ソース非同期無線網との間に接続解除が完了したという解除完了メッセージを伝送する第24ステップと、
で構成されていることを特徴とする請求項9に記載の非同期移動通信システムにおけるハンドオフ処理方法。
【請求項１１】
非同期端末、ソース非同期無線網を備え、同期コア網および少なくとも一つの目標同期無線網と連動する非同期移動通信システムにおけるハンドオフ処理方法において、
ハンドオフすべきことを決定する第1ステップと、
ハンドオフすべき前記目標同期無線網を選択する第2ステップと、
ハンドオフ要求に応答して、ハンドオフ関連情報を提供してハンドオフ準備を完了する第3ステップと、
前記非同期端末と前記目標同期無線網との間に接続を設定してハンドオフを完了する第4ステップと、
前記非同期端末と前記ソース非同期無線網との間の接続を解除する第5ステップと、
で構成され、
前記第1ステップは、
前記ソース非同期無線網から受信した無線リンク測定関連情報を利用して、前記非同期端末で無線リンクの能力を測定する第6ステップと、
前記ソース非同期無線網に無線リンク測定リポートメッセージを伝送する第7ステップと、
前記無線測定リポートメッセージを利用して、前記ソース非同期無線網でハンドオフの可否を決定する第8ステップと、
で構成され、
前記第2ステップは、
ハンドオフと決定された場合、前記同期コア網にハンドオフ要求メッセージを伝送する第9ステップと、
前記同期コア網で前記ハンドオフ要求メッセージを分析することによって、前記目標同期無線網に対する情報を把握する第10ステップと、
で構成され、
前記第3ステップは、
前記同期コア網から前記目標同期無線網にハンドオフ要求メッセージを伝送する第11ステップと、
前記ハンドオフ要求メッセージを利用して、前記目標同期無線網で前記ソース非同期無線網と前記非同期端末関連情報を分析して貯蔵する第12ステップと、
前記目標同期無線網で、前記非同期端末に資源を割り当てて前記非同期端末に接続する第13ステップと、
前記目標同期無線網から前記非同期端末に、ナルフォワードトラフィックチャネルフレーム(null forward traffic channel frame）を伝送する第14ステップと、
前記目標同期無線網から前記同期コア網にハンドオフ要求確認メッセージを伝送し、前記同期コア網から前記ソース非同期無線網にハンドオフ命令メッセージを伝送し、前記ソース非同期無線網から前記非同期端末にシステム相互間ハンドオーバー要求(intersystem handover request)RRCメッセージを伝送する第15ステップと、
前記非同期端末から前記ソース非同期無線網に、前記非同期端末がハンドオフ準備ができたことを報せるメッセージを伝送する第16ステップと、
前記ソース非同期無線網から前記同期コア網にハンドオフスタートメッセージを伝送する第17ステップと、
で構成されていることを特徴とする非同期移動通信システムにおけるハンドオフ処理方法。
【請求項１２】
前記システム相互間ハンドオーバーRRCメッセージは、目標同期無線網に関する情報をさらに含むことを特徴とする請求項11に記載の非同期移動通信システムにおけるハンドオフ処理方法。
【請求項１３】
前記第4ステップは、
前記非同期端末から前記目標同期無線網に、逆方向通話チャネルフレーム(reverse traffic channel frame)と通話チャネルプリアンブル(traffic channel preamble）を伝送する第18ステップと、
前記非同期端末と前記目標同期無線網との間に無線リンク設定及び同期合せ作業を遂行する第19ステップと、
で構成されていることを特徴とする請求項11に記載の非同期移動通信システムにおけるハンドオフ処理方法。
【請求項１４】
前記第5ステップは、
前記端末から前記ハンドオフが完了したというメッセージを受信した後、ハンドオフ完了メッセージを前記目標同期無線網から前記同期コア網に伝送する第20ステップと、
前記ソース非同期無線網の有線資源と無線資源とを解除するための解除命令メッセージを前記同期コア網から前記ソース非同期無線網に伝送する第21ステップと、
前記無線資源が解除すべきことを報せるメッセージを前記ソース非同期無線網から前記非同期端末に伝送する第22ステップと、
前記非同期端末で無線専用資源を解除した後、無線資源解除完了メッセージを前記非同期端末から前記ソース非同期無線網に伝送する第23ステップと、
前記ソース非同期無線網からRRC接続解除メッセージを受信した後、前記非同期端末で前記階層3シグナルリング及び無線共用資源を解除する第24ステップと、
前記非同期端末から前記ソース非同期無線網にRRC接続解除完了メッセージを伝送する第25ステップと、
前記ソース非同期無線網から前記同期コア網に、前記非同期端末と前記ソース非同期無線網との間に接続解除が完了したという解除完了メッセージを伝送する第26ステップと、
で構成されていることを特徴とする請求項13に記載の非同期移動通信システムにおけるハンドオフ処理方法。
【請求項１５】
同期端末、ソース同期無線網を備え、同期コア網および少なくとも一つの目標非同期無線網と連動する同期移動通信システムにおけるハンドオフ処理方法において、
ハンドオフすべきことを決定する第1ステップと、
ハンドオフすべき前記目標非同期無線網を選択する第2ステップと、
ハンドオフ要求に応答して、ハンドオフ関連情報を提供してハンドオフ準備を完了する第3ステップと、
前記同期端末と前記目標非同期無線網との間に接続を設定してハンドオフを完了する第4ステップと、
前記同期端末と前記ソース同期無線網との間の接続を解除する第5ステップと、
で構成され、
前記第1ステップは、
前記ソース同期無線網から前記同期端末に周辺無線リンク測定を要求するメッセージを伝送する第6ステップと、
前記ソース同期無線網から受信した前記周辺無線リンク測定関連情報を利用して、前記同期端末で前記周辺無線リンクの能力を測定する第7ステップと、
前記ソース同期無線網に周辺無線リンク測定リポートメッセージを伝送する第8ステップと、
前記周辺無線測定リポートメッセージを利用して、前記ソース同期無線網でハンドオフの可否を決定する第9ステップと、
で構成され、
前記第2ステップは、
ハンドオフと決定された場合、前記同期コア網にハンドオフ要求メッセージを伝送する第10ステップと、
前記同期コア網で前記ハンドオフ要求メッセージを分析することによって、前記目標非同期無線網に対する情報を把握する第11ステップと、
で構成され、
前記第3ステップは、
前記同期コア網から前記目標非同期無線網にハンドオフ要求メッセージを伝送する第12ステップと、
前記ハンドオフ要求メッセージを利用して、前記目標非同期無線網で前記ソース同期無線網と前記同期端末関連情報とを分析して貯蔵する第13ステップと、
前記目標非同期無線網から前記同期コア網にハンドオフ要求確認メッセージを伝送し、前記同期コア網から前記ソース同期無線網にハンドオフ命令メッセージを伝送し、前記ソース同期無線網から前記同期端末に拡張されたハンドオフ指示メッセージ(extended handoff direction message)や一般ハンドオフ指示メッセージ(general handoff direction message)を伝送する第14ステップと、
前記同期端末から前記ソース同期無線網に、前記非同期端末がハンドオフ準備ができたことを報せるメッセージを伝送する第15ステップと、
前記ソース同期無線網から前記同期コア網にハンドオフスタートメッセージを伝送する第16ステップと、
で構成されていることを特徴とする同期移動通信システムにおけるハンドオフ処理方法。
【請求項１６】
前記第4ステップは、
前記同期端末と前記目標非同期無線網との間に無線リンク設定及び同期合せ作業を遂行する第17ステップと、
前記同期端末と前記目標非同期無線網との間に階層3シグナルリング及び専用制御チャネル(DCCH）を設定する第18ステップと、
で構成されていることを特徴とする請求項15に記載の同期移動通信システムにおけるハンドオフ処理方法。
【請求項１７】
前記第5ステップは、
前記端末から前記ハンドオフが完了したというメッセージを受信した後、ハンドオフ完了メッセージを前記目標非同期無線網から前記同期コア網に伝送する第19ステップと、
前記ソース同期無線網の有線資源と無線資源とを解除するための解除命令メッセージを前記同期コア網から前記ソース同期無線網に伝送する第20ステップと、
前記同期端末と前記ソース同期無線網との間に全ての資源とシグナルリングを解除する第21ステップと、
前記ソース同期無線網から前記同期コア網に前記同期端末と前記ソース同期無線網との間に接続解除が完了したという解除完了メッセージを伝送する第22ステップと、
で構成されていることを特徴とする請求項16に記載の同期移動通信システムにおけるハンドオフ処理方法。
【請求項１８】
非同期端末、ソース非同期無線網を備え、同期コア網および少なくとも一つの目標アナログ無線網と連動する非同期移動通信システムにおけるハンドオフ処理方法において、
ハンドオフすべきことを決定する第1ステップと、
ハンドオフすべき前記目標アナログ無線網を選択する第2ステップと、
ハンドオフ要求に応答して、ハンドオフ関連情報を提供してハンドオフ準備を完了する第3ステップと、
前記非同期端末と前記目標アナログ無線網との間に接続を設定してハンドオフを完了する第4ステップと、
前記非同期端末と前記ソース非同期無線網との間の接続を解除する第5ステップと、
で構成され、
前記第1ステップは、
前記ソース非同期無線網から受信した無線リンク測定関連情報を利用して、前記非同期端末で無線リンクの能力を測定する第6ステップと、
前記ソース非同期無線網に無線リンク測定リポートメッセージを伝送する第7ステップと、
前記無線測定リポートメッセージを利用して、前記ソース非同期無線網でハンドオフの可否を決定する第8ステップと、
で構成され、
前記第2ステップは、
ハンドオフと決定された場合、前記同期コア網にハンドオフ要求メッセージを伝送する第9ステップと、
前記同期コア網で前記ハンドオフ要求メッセージを分析することによって、前記目標アナログ無線網に対する情報を把握する第10ステップと、
で構成され、
前記第3ステップは、
前記同期コア網から前記目標アナログ無線網にハンドオフ要求メッセージを伝送する第11ステップと、
前記ハンドオフ要求メッセージを利用して、前記目標アナログ無線網で前記ソース非同期無線網と前記非同期端末関連情報とを分析して貯蔵する第12ステップと、
前記目標アナログ無線網に前記非同期端末に割り当てる資源がある場合、前記目標アナログ無線網から前記同期コア網にハンドオフ要求確認メッセージを伝送し、前記同期コア網から前記ソース非同期無線網にハンドオフ命令メッセージを伝送する第13ステップと、
前記ソース非同期無線網から前記非同期端末にシステム相互間ハンドオフ命令(intersystem handoff command)RRCメッセージを伝送する第14ステップと、
前記非同期端末から前記ソース非同期無線網に、前記非同期端末がハンドオフ準備ができたことを報せるメッセージを伝送する第15ステップと、
前記ソース非同期無線網から前記同期コア網にハンドオフスタートメッセージを伝送する第16ステップと、
で構成されていることを特徴とする非同期移動通信システムにおけるハンドオフ処理方法。
【請求項１９】
前記システム相互間ハンドオフRRCメッセージは、目標アナログ無線網に関する情報をさらに含むことを特徴とする請求項18に記載の非同期移動通信システムにおけるハンドオフ処理方法。
【請求項２０】
前記第4ステップは、
前記非同期端末と前記目標アナログ無線網との間に無線リンク設定、ボコーダ(vocoder）の初期化及びシグナルリングを交換する作業を遂行する第17ステップよりなることを特徴とする請求項18に記載の非同期移動通信システムにおけるハンドオフ処理方法。
【請求項２１】
前記第5ステップは、
ハンドオフ完了メッセージを前記目標アナログ無線網から前記同期コア網に伝送する第18ステップと、
前記ソース非同期無線網の有線資源と無線資源とを解除するための解除命令メッセージを前記同期コア網から前記ソース非同期無線網に伝送する第19ステップと、
前記無線資源が解除すべきことを報せるメッセージを前記ソース非同期無線網から前記非同期端末に伝送する第20ステップと、
前記非同期端末で無線専用資源を解除した後、無線資源解除完了メッセージを前記非同期端末から前記ソース非同期無線網に伝送する第21ステップと、
前記ソース非同期無線網からRRC接続解除メッセージを受信した後、前記非同期端末で前記階層3シグナルリング及び無線共用資源を解除する第 22ステップと、
前記非同期端末から前記ソース非同期無線網にRRC接続解除完了メッセージを伝送する第23ステップと、
前記ソース非同期無線網から前記同期コア網に、前記非同期端末と前記ソース非同期無線網との間に接続解除が完了したという解除完了メッセージを伝送する第24ステップと、
で構成されていることを特徴とする請求項20に記載の非同期移動通信システムにおけるハンドオフ処理方法。
【発明の詳細な説明】
【０００１】
【発明が属する技術分野】
本発明は、非同期移動通信システム(例えば、IMT-2000システムで)で呼処理(call processing) 及びハンドオフ(handoff)処理を行う場合の発明に関し、特に接続されるコア網が同期式コア網である場合の非同期移動通信システムにおける呼処理方法およびハンドオフ処理方法に関する。
【０００２】
【従来の技術】
従来の同期移動通信システムの場合、同期端末と同期通信方式の同期無線網(これを"CDMA-2000 無線網"ともいう)が連結され、コアネットワーク(CN)でANSI-41網に接続される。
【０００３】
また、従来非同期移動通信システムの場合、非同期端末と非同期通信方式の非同期無線網であるUTRAN(UMTS Terrestrial Radio Access Network）が連結され、コアネットワーク(CN)でGSM-MAP(Global System for Mobile Communication-Mobile Application Part)網に接続される。
【０００４】
添附した図1A、図1Bは、前記のような従来の移動通信システムのコア網連動構造を示す図である。
【０００５】
図1Aは、同期移動通信システムのコア網連動構造を示す図であり、参照符号11は同期端末を示し、参照符号12は前記同期端末11と無線でデータをインターフェースし基地局及び制御局を含む同期無線網(CDMA-2000無線網）を示し、参照符号13は、前記同期無線網12と連結する同期コア網として、これは同期移動通信交換機(MSC)を含む。
【０００６】
このような従来の同期移動通信システムのコア網連動構造で、同期端末11は、周知のように、同期無線網12のみと接続可能であり、その同期無線網12は、同期コア網13とのみ連動できる。
【０００７】
図1Bは、非同期移動通信システムのコア網連動構造を示す図として、参照符号21は非同期端末を示し、22は基地局及び制御局を含む非同期無線網であるUTRANを示し、23は、前記UTRAN22と連結する非同期移動通信交換機(MSC)を含む非同期コア網を示すものである。
【０００８】
このような従来の非同期移動通信システムのコア網連動構造で、非同期端末21は、非同期無線網であるUTRAN22のみと、そのUTRAN22は、非同期コア網23のみと連動できる。
【０００９】
添附した図2Aと図2Bは、前記のような従来の同期/非同期移動通信システムの各部プロトコル構造を示す図である。
【００１０】
ここで、図2Aは、同期移動通信システムの各部プロトコル構造を示す図として、参照符号30は、同期端末を示し、参照符号40は、同期無線網を示し、参照符号50は、前記同期無線網40と連結する同期コア網を示す。
【００１１】
前記同期端末30は、階層3(31)、階層2(35)、階層1(36)に区分され、各々のレベルに対応するプロトコルが備わり、特に、階層3(31)には、呼管理のための同期呼制御(CC: Call Control)部32と移動性管理のための同期移動性管理(MM: Mobility Management)部33、及び無線資源を制御するための同期無線資源(RR: Radio Resource)部34が備わる。
【００１２】
特に、階層3(31）は、同期無線資源(RR: Radio Resource)サブ階層34、同期呼制御(CC)部32及び移動性管理(MM)部33を含む。同期システムにおいて、同期無線資源サブ階層34は、階層3(31）の別途サブ階層に明確に区分されていない。
【００１３】
呼制御部32は、ユーザ装置(UE)と同期無線網間の階層3の呼制御シグナルリングを処理する。
【００１４】
移動性管理部33は、ユーザ装置(UE)と同期無線網との間の階層3の移動性管理シグナルリングを処理する。
【００１５】
階層3ないし1(31、35、36）は、同期無線網40の相応階層、すなわち階層3 ないし1(41、 45、 46)と通信する。
【００１６】
同期無線網40は、階層3(41)、階層2(45)及び階層46を含む。同期無線網40は、階層3(41)、階層2(45)、階層1(46)に該当するプロトコルを備え、前記同期端末30の各階層と同じ階層に対応する。
【００１７】
同期無線網40の階層3ないし1(41、45、46）は、同期端末30及び同期コア網50の相応階層31、35、36、51、55、56と通信する。
【００１８】
また、同期コア網50は、階層3(51)、階層2(55)、階層1(56)に区分され、各々のレベルに対応するプロトコルが備わり、特に、階層3(51)には、呼管理のための同期呼制御(CC: Call Control)部52、移動性管理のための同期移動性管理(MM: Mobility Management)部53、及び無線資源管理のための同期無線資源(RR: Radio Resource)部(54)が備わる。
【００１９】
前記のような連動構造で、同期端末30は、同期通信方式の同期無線網40から同期チャネル(Synchronous Channel）を介して同期チャネルメッセージを受信し、この同期チャネルメッセージを介して連結したコア網関連情報や同期無線網情報をはじめとする同期端末が網への接続のために必要な情報を獲得することとなる。
【００２０】
すなわち、同期端末と同期通信方式の同期無線網、そして同期式ANSI-41網の連動時、前記同期端末は、パワー(power)オン後、システム決定状態(System Determination Sub-state)、パイロットチャネル捕捉状態(Pilot Channel Acquisition Sub-state)、同期チャネル捕捉状態(Synchronous Channel Acquisition Sub-state)、同期化状態(Timing Changing Sub-state)を介してシステム(無線網とコア網)情報を得る。
【００２１】
図2bは、非同期移動通信システムの各部プロトコル構造を示す図として、参照符号60は、非同期端末、70は、非同期無線網(UTRAN)、80は、非同期コア網を各々示す。
【００２２】
そして前記非同期端末60は、階層3(61)、階層2(65)、階層1(66)に区分され、各々のレベルに対応するプロトコルが備わる。特に、階層3(61）は、呼管理のための非同期呼制御(CC : Call Control)部62と移動性管理のための非同期移動性管理(MM : Mobility Management)部63及び、無線資源を制御する無線資源制御(RRC: Radio Resource Control)部が備わる。非同期システムにおいて、階層3(61）は、非同期呼制御部62及び非同期移動性管理部63を含むNAS(Non-Access Stratum)部と無線資源制御部64を含むAS(Access Stratum)部に分類される。
【００２３】
また、UTRAN70は、前記非同期端末60の各階層と対応され、非同期コア網80との各階層とも対応されるように階層3(71)、階層2(73)、階層1(74)に該当するプロトコルが具現されている。非同期無線網70の階層3(71)には、非同期CC部と非同期MM部がないことが非同期端末60の階層構造と異なるだけで、非同期無線資源部72を備えるとともに、その他の階層構造は同一である。
【００２４】
また、非同期コア網80は、前記非同期端末60と接続するための非同期呼制御(CC)部82、移動性管理のための非同期移動性管理(MM)部83及び無線資源を制御する無線資源制御部84を含む階層3(81)と、階層2(85)、階層1(86)に該当するプロトコルを具備する。
【００２５】
前記のように構成される非同期移動通信システムで、非同期端末60は、UTRAN70から同報制御チャネル(BCCH）を介してシステム案内メッセージ(System Information Message)を受信し、このシステム案内メッセージを介してコア網関連情報やUTRAN情報をはじめとする非同期端末が網への接続のために必要な情報を獲得することになる。
【００２６】
IMT-2000システムなどと次世代移動通信システムでは、国際的なローミングのため、コア網に非同期式で使用中のGSM-MAP網や、同期式で使用中のANSI-41網が全部連動できなければならない。
【００２７】
したがって、IMT-2000システムは、網展開状況に応じて下記のような四つの方式の連動構造を有し得る。
【００２８】
第1に、同期端末-同期通信方式の無線網-ANSI-41網連動構造であり、第2に、同期端末-同期通信方式の無線網-GSM-MAP網連動構造であり、第3に、非同期端末-非同期通信方式の無線網-ANSI-41網連動構造であり、第4に、非同期端末-非同期通信方式の無線網-GSM-MAP網連動構造である。
【００２９】
図3A〜図3Dは、次世代移動通信システムにおけるコア網連動構造を示す図である。
【００３０】
まず、図3Aは、同期移動通信システムにおける同期式ANSI-41コア網連動構造図であって、ここで、参照符号100は、ハイブリッドタイプ同期端末、110は、同期無線網、120は、同期コア網を各々示し、前記同期コア網120は、同期移動通信交換機(MSC)を含む。
【００３１】
そして図3Bは、同期移動通信システムで接続されるコア網が非同期コア網である場合、連動構造を示すものとして、参照符号100は、ハイブリッドタイプ同期端末、110は、同期無線網、130は、非同期コア網を各々示し、前記非同期コア網130は、非同期移動通信交換機(MSC)を含む。
【００３２】
次に、図3Cは、非同期移動通信システムにおける非同期式GSM-MAPコア網連動構造図として、参照符号210は、非同期端末であり、220は、非同期無線網であるUTRANであり、230は、前記非同期無線網であるUTRAN220に接続されるコア網として、非同期式移動通信交換機(MSC)を含む。
【００３３】
また、図3Dは、非同期移動通信システムにおける同期式ANSI-41コア網連動構造図として、参照符号210は、非同期端末であり、220は、非同期無線網であるUTRANであり、240は、前記非同期無線網であるUTRAN220に接続されるコア網として、同期式移動通信交換機(MSC)を含む。
【００３４】
このような四つの構造に適応的に動作が可能とするために、同期端末及び非同期端末は、従来の同期/非同期移動通信システムで用いられる同期端末及び非同期端末とは異なって、プロトコルスタック構造の階層3にGSM-MAPコア網サービス用CC(Call Control)、MM(Mobility Management)プロトコルエンティティとANSI-41コア網サービス用CC及びMMプロトコルエンティティの全部を有する。
【００３５】
図4A〜図4Dは、次世代移動通信システムにおける同期/非同期端末のプロトコル階層構造図である。
【００３６】
まず、図4aは、同期移動通信システムにおけるANSI-41コア網と連動するハイブリッドタイプ同期端末のプロトコル階層構造図として、参照符号100は、ハイブリッドタイプ同期端末であり、110は、ハイブリッドタイプ同期無線網であり、120は、前記同期無線網110に接続される同期式コア網であるANSI-41コア網である。
【００３７】
このような連動構造で、ハイブリッドタイプ同期端末100は、階層3(101)、階層2(107)、階層1(108)に区分され、階層3(101）は、同期CC102、同期MM103、非同期CC104、非同期MM105を全部備え、コア網タイプ(コア網の種類を識別できるコードである)に応じて選択的にCC/MMのプロトコルを活性化させる。
【００３８】
例えば、現在接続された網がANSI-41コア網120であるので、同期CC102及び同期MM103のプロトコルを活性化してANSI-41コア網120とメッセージをインターフェースする。
【００３９】
また、階層3(101）は、無線資源を制御する同期RR106を含む。
【００４０】
次に、同期無線網110は、階層3(111)、階層2(115)、階層1(116)によりなり、ハイブリッドタイプ同期端末100の各階層及びANSI-41コア網120の 各階層と対応的にプロトコルを活性化してメッセージをインターフェースする。
【００４１】
また、前記ANSI-41コア網120は、階層3(121)、階層2(125)、階層1(126)に区分され、階層3(121）は、同期CC122、同期MM123及び同期RR124を備える。
【００４２】
一方、同期移動通信システムに接続されるコア網が図3Bのように非同期コア網である場合、図4Bのようなプロトコル構造を有する。
【００４３】
ここで、参照符号100は、ハイブリッドタイプ同期端末であり、参照符号110は、同期無線網であり、参照符号130は、非同期コア網である。
【００４４】
このような連動構造で前記ハイブリッドタイプ同期端末100は、階層3(101)、階層2(107)、階層1(108)に区分され、階層3(101）は、同期CC102、同期MM103、非同期CC104、非同期MM105を全部備え、コア網タイプ(コア網の種類を識別できるコードである)に応じて選択的にCC/MMのプロトコルを活性化させる。
【００４５】
例えば、現在接続された網がGSM-MAPコア網130であるので、非同期CC104及び非同期MM105のプロトコルを活性化してGSM-MAPコア網130とメッセージをインターフェースする。
【００４６】
また、階層3(101）は無線資源を制御する同期RR106を含む。
【００４７】
次に、同期無線網110は、階層3(111)、階層2(115)、階層1(116)によりなり、ハイブリッドタイプ同期端末100の各階層及びGSM-MAPコア網130の各階層と対応的にプロトコルを活性化してメッセージをインターフェースする。
【００４８】
また、前記GSM-MAPコア網130は、階層3(131)、階層2(135)、階層1(136)に区分され、前記階層3は、NAS(Non-Access Stratum)部とAS(Access Stratum)部131に区分され得るが、NAS部は、非同期CC132、非同期MM133を備え、AS部は非同期RRC134を備える。
【００４９】
そして図4Cは、非同期移動通信システムにおけるANSI-41コア網と連動する非同期端末のプロトコル階層構造図である。ここで、参照符号210は、非同期端末であり、220は、非同期無線網であるUTRANであり、230は前記非同期無線網であるUTRAN220と接続されるANSI-41コア網である。
【００５０】
このようなプロトコル構造における非同期端末210は、階層3(211)、階層2(217)、階層1(218)に区分され、前記階層1は、同期CC211、同期MM212、非同期CC213、非同期MM214を全部備え、選択的に同期CC/MMまたは非同期CC/MMプロトコルを活性化させる。
【００５１】
例えば、現在接続された網がANSI-41コア網230であるので、同期CC211及び同期MM212のプロトコルを活性化してANSI-41コア網230とメッセージをインターフェースする。
【００５２】
また、階層3(211）は、無線資源を制御する非同期RRC216を含む。
【００５３】
次に、図4Dは、非同期移動通信システムにおけるGSM-MAPコア網と連動する非同期端末のプロトコル階層構造図を示したものである。
【００５４】  ここで、参照符号210は、 非同期端末であり、220は、非同期無線網であるUTRANであり、240は、前記非同期無線網であるUTRAN220と接続されるGSM-MAPコア網である。
【００５５】
このようなプロトコル構造で非同期端末210は、階層3(211)、階層2(217)、階層1(218)に区分され、前記階層3(21）は、同期CC211、同期MM212、非同期CC213、非同期MM214を全部備え、選択的に同期CC/MMまたは非同期CC/MMのプロトコルを活性化させる。
【００５６】
例えば、現在接続された網がGSM-MAPコア網240であるので、非同期CC213及び非同期MM214のプロトコルを活性化してGSM-MAPコア網240とメッセージをインターフェースする。
【００５７】
また、階層3(211）は、無線資源を制御する非同期RRC216を含む。非同期端末と非同期コア網が通信をする時は無線網のMM部及びCC部は直接関わらない。
【００５８】
上述したように、IMT-2000システムは、4種類の連動構造から構成されることで、各連動構造に対応するインターフェース規格が必要である。すなわち、同期/非同期移動通信システムにおけるハンドオフと呼処理のためには、各々同期/非同期通信方式のインターフェース通信規約が必要である。
【００５９】
従来の同期移動通信システムで呼処理及びハンドオフ処理を遂行する場合、周知の国際標準の通信規約に定義された呼処理過程及びハンドオフ処理過程に従い、国際標準の同期通信規約に定義されたメッセージとパラメーターなどを相互交換する。すなわち、同期端末と同期通信方式の無線網との間であるエア−インターフェイス(Air-Interface)の場合には、TIA/EIA/IS-2000国際標準通信規約に定義されたメッセージとパラメーターなどを相互交換し、同期無線網とANSI-41網との間であるＡ−インターフェイス(A-Interface)の場合には、3G-IOS国際標準通信規約に定義された呼処理過程及びハンドオフ処理過程に従い、メッセージ及びパラメーターなどを相互交換する。
【００６０】
結論的に、同期通信方式のIMT-2000システムで円滑な呼処理及びハンドオフを遂行するためには同期通信方式に定義された国際通信規約、すなわち、エア−インターフェイス(Air-Interface)の場合には、TIA/EIA/IS-2000通信規約を用いるべきであり、Ａ−インターフェイス(A-Interface)の場合には、3G-IOS通信規約を使用すべきである。
【００６１】
また、非同期移動通信システムでは呼処理及びハンドオフ処理のために非同期通信方式のインターフェース規約を使用する。
【００６２】
すなわち、非同期端末と非同期無線網との間は、エア−インターフェイス(Air-Interface)と呼び、非同期通信エア−インターフェイス(Air-Interface)と称される通信規約を用い、非同期無線網とコア網であるGSM-MAP網との間はＡ−インターフェイス(A-Interface)と呼び、RANAP(Radio Access Network Application Part)という通信規約を使用する。
【００６３】
前記で言及された非同期通信エア−インターフェイス(Air-Interface)とRANAP通信規約は、各々非同期通信方式のIMT-2000システムのエア−インターフェイス(Air-Interface)とRANAPでの非同期通信方式のための国際標準通信規約であり、エア−インターフェイス(Air-Interface)とRANAP通信規約は、同期通信方式に対しては全く考慮されない国際標準通信規約である。
【００６４】
このようなインターフェースを使用する従来の非同期移動通信システムで呼処理及びハンドオフ処理を遂行する場合、周知の国際標準の非同期通信規約に定義された呼処理過程及びハンドオフ処理過程に従い、国際標準の非同期通信規約に定義されたメッセージとパラメーターなどを相互交換する。すなわち、非同期端末と非同期通信方式の無線網との間であるエア−インターフェイス(Air-Interface)の場合には、非同期通信エア−インターフェイス(Air-Interface)と称される国際標準通信規約に定義されたメッセージとパラメーターなどを相互交換し、非同期無線網とGSM-MAP網との間であるＡ−インターフェイス(A-Interface)の場合には、RANAPという国際標準通信規約に定義された呼処理過程及びハンドオフ処理過程に従い、メッセージ及びパラメーターなどを相互交換する。
【００６５】
結論的に、非同期通信方式のIMT-2000システムで円滑な呼処理及びハンドオフを遂行するためには、非同期通信方式として定義された国際通信規約、すなわち、エア−インターフェイス(Air-Interface)の場合には、非同期通信エア−インターフェイス(Air-Interface)と称される国際標準の通信規約を用いるべきであり、Ａ−インターフェイス(A-Interface)の場合にはRANAPという通信規約を使用すべきである。
【００６６】
しかしIMT-2000システムが網展開状況に応じて、非同期端末、非同期通信方式の無線網、そしてコア網にANSI-41網が連動される場合には周知の非同期通信方式の国際的な通信規約をそのまま使用することはできない。
【００６７】
言いかえれば、非同期端末と非同期通信方式の無線網との間であるエア−インターフェイス(Air-Interface)では、従来のIMT-2000システムの非同期通信方式で使用する非同期通信エア−インターフェイス(Air-Interface)を使用すべきであり、非同期無線網とコア網との間であるＡ−インターフェイス(A-Interface)では、従来のIMT-2000システムの同期通信方式で 使用する3G-IOSという国際的な通信規約を使用すべきである。
【００６８】
ところが、従来の非同期通信方式の国際通信規約は、周知のように同期通信方式のエア−インターフェイス(Air-Interface)とＡ−インターフェイス(A-Interface)通信規約に対しては全く考慮されなかった状態であるので、非同期通信システムの非同期無線網にコア網として同期コア網であるANSI-41網が連結された場合には連動が不可能という問題点があった。
【００６９】
すなわち、非同期通信方式の国際通信規約は、他の通信方式の呼処理及びハンドオフ処理に対しては全く考慮されなかった状態であるので、コア網として同期コア網が連結されればそのコア網との連動が不可能であり、また呼処理及びハンドオフ処理が不可能となるのである。
【００７０】
【発明が解決しようとする課題】
本発明は、前記のような従来の同期/非同期移動通信システムで発生する諸般の問題点を解決するために提案されたものであり、本発明の目的は、非同期移動通信システムで非同期無線網に連結される網が同期式コア網であるANSI-41網である場合にも、非同期無線網及び非同期端末でANSI-41網と連動ができるようにし、また同期式コア網と呼処理及びハンドオフ処理が円滑になるようにした非同期移動通信システムにおける呼処理方法及びハンドオフ処理方法を提供することにある。
【００７１】
【課題を解決するための手段】
前記の目的を達成するため、本発明は、呼処理部(CC)と移動性管理部(MM)及び無線資源制御部(RRC)を備えた非同期端末、無線資源制御部を備えた非同期無線網からなり、同期式コア網と連動する非同期移動通信システムにおける呼処理方法において、発信呼メッセージが発生する場合に呼を設定する第1ステップと、前記非同期端末と前記非同期無線網との間にチャネルを設定する第2ステップと、無線資源割当基本情報を処理する第3ステップと、暗号化設定を遂行する第4ステップと、無線資源を設定する第5ステップと、サービス構成を遂行する第6ステップと、通話待機メッセージをユーザに伝送する第7ステップとで構成されていることを特徴とする。
【００７２】
また、本発明は、呼処理部(CC)と移動性管理部(MM)及び無線資源制御部(RRC)を備えた非同期端末、無線資源制御部を備えた非同期無線網からなり、同期式コア網と連動する非同期移動通信システムにおける呼解除が、前記非同期端末で発生した場合の呼処理方法において、有線資源及び無線資源の解除を要求するメッセージを前記非同期端末から前記非同期無線網に伝送する第1ステップと、呼解除要求メッセージを前記非同期無線網から前記同期コア網に伝送する第2ステップと、前記同期コア網から資源解除命令を受信した後、無線資源解除メッセージを前記非同期無線網から前記非同期端末に伝送する第3ステップと、前記非同期端末で、無線専用資源を解除する第4ステップと、前記無線専用資源解除が完了することを報せる無線資源解除完了メッセージを前記非同期無線網に伝送する第5ステップと、階層3シグナルリングと無線共用資源を解除すべきことを報せる接続解除メッセージを前記非同期無線網から前記非同期端末に伝送する第6ステップと、前記非同期端末と前記非同期無線網との間の全ての無線資源とシグナルリングが解除されたことを報せる解除完了メッセージを前記非同期無線網から前記同期網に伝送する第7ステップとで構成されていることを特徴とする。
【００７３】
また、本発明は、呼処理部(CC)と移動性管理部(MM)及び無線資源制御部(RRC)を備えた非同期端末、無線資源制御部を備えた非同期無線網からなり、同期式コア網と連動する非同期移動通信システムにおける呼解除が、前記同期コア網で開始された場合の呼処理方法において、前記同期コア網から資源解除命令を受信した後、無線資源解除メッセージを前記非同期無線網から前記非同期端末に伝送する第1ステップと、前記非同期端末で、無線専用資源を解除する第2ステップと、前記無線専用資源解除が完了したことを報せる無線資源解除完了メッセージを前記非同期無線網に伝送する第3ステップと、階層3シグナルリングと無線共用資源を解除すべきことを報せる接続解除メッセージを前記非同期無線網から前記非同期端末に伝送する第4ステップと、前記非同期端末と前記非同期無線網との間の全ての無線資源とシグナルリングが解除されたことを報せる解除完了メッセージを前記非同期無線網から前記同期コア網に伝送する第5ステップとで構成されていることを特徴とする。
【００７４】
また、本発明は、呼処理部(CC)と無線資源制御部(RRC)とを備えた非同期端末、無線資源制御部を備えたソース非同期無線網からなり、同期コア網および少なくとも一つ以上の目標(target)非同期無線網と連動する非同期移動通信システムにおけるハンドオフ処理方法において、ハンドオフを決定する第1ステップと、ハンドオフすべき前記目標非同期無線網を選択する第2ステップと、ハンドオフ要求に応答して、ハンドオフ関連情報を提供してハンドオフ準備を完了する第3ステップと、前記非同期端末と前記目標非同期無線網との間に接続を設定してハンドオフを完了する第4ステップと、前記非同期端末と前記ソース非同期無線網との間の接続を解除する第5ステップとで構成されていることを特徴とする。
【００７５】
また、本発明は、非同期端末、ソース非同期無線網からなり、同期コア網および少なくとも一つの目標同期無線網と連動する非同期移動通信システムにおけるハンドオフ処理方法において、ハンドオフを決定する第1ステップと、ハンドオフすべき前記目標同期無線網を選択する第2ステップと、ハンドオフ要求に応答して、ハンドオフ関連情報を提供してハンドオフ準備を完了する第3ステップと、
前記非同期端末と前記目標同期無線網との間に接続を設定してハンドオフを完了する第4ステップと、前記非同期端末と前記ソース非同期無線網との間の接続を解除する第5ステップとで構成されていることを特徴とする。
【００７６】
また、本発明は、同期端末、ソース同期無線網を備え、同期コア網および少なくとも一つの目標非同期無線網と連動する同期移動通信システムにおけるハンドオフ処理方法において、ハンドオフを決定する第1ステップと、ハンドオフすべき前記目標非同期無線網を選択する第2ステップと、ハンドオフ要求に応答して、ハンドオフ関連情報を提供してハンドオフ準備を完了する第3ステップと、前記同期端末と前記目標非同期無線網との間に接続を設定してハンドオフを完了する第4ステップと、前記同期端末と前記ソース同期無線網との間の接続を解除する第5ステップとで構成されていることを特徴とする。
【００７７】
また、本発明は、非同期端末、ソース非同期無線網を備え、同期コア網および少なくとも一つの目標アナログ無線網と連動する非同期移動通信システムにおけるハンドオフ処理方法において、ハンドオフを決定する第1ステップと、ハンドオフすべき前記目標アナログ無線網を選択する第2ステップと、ハンドオフ要求に応答して、ハンドオフ関連情報を提供してハンドオフ準備を完了する第3ステップと、前記非同期端末と前記目標アナログ無線網との間に接続を設定してハンドオフを完了する第4ステップと、前記非同期端末と前記ソース非同期無線網との間の接続を解除する第5ステップとで構成されていることを特徴とする。
【００７８】
【発明の実施の形態】
以下、前記のような技術的思想による本発明の好ましいの実施の形態を添附した図面により詳細に説明すると下記の通りである。
【００７９】
添附した図5は、本発明が適用される非同期移動通信システムにおけるコア網がANSI-41網である場合の全体連動構造図である。
【００８０】
ここで、参照符号300は、非同期移動通信システムに備わった非同期無線網を示し、参照符号400は、前記非同期無線網300に連結されるコア網としての同期式コア網である。参照符号500は、前記同期式コア網400に接続できるアナログ無線網を示し、参照符号600は、前記同期式コア網400に接続できる同期無線網を示す。
【００８１】
このような連動構造は、非同期移動通信システムが非同期無線網300に対するコア網として同期式コア網(ANSI-41網)400が連結されて連動し、前記同期式コア網400にはアナログ無線網500または同期無線網600が連動する構造を示すものである。
【００８２】
図6は、本発明が適用される非同期移動通信システムにおけるコア網がANSI-41である場合について、有線区間インターフェース及び無線区間インターフェースの関係を示す図である。
【００８３】
ここで、参照符号310は、非同期端末を示し、参照符号300及び400は、周知の非同期無線網及び同期式コア網を各々示す。
【００８４】
このような連動構造におけるインターフェースは、無線区間(Air-Interface)である非同期端末310と非同期無線網300との間には既存の非同期通信方式の国際通信規約(非同期通信Air-Interface）に従い、有線区間(A-Interface)である非同期 無線網300と同期式コア網400との間は既存の同期通信方式の国際通信規約(3G-IOS）に従う。
【００８５】
このように通信方式が異なる連動構造に対しては新しい呼処理及びハンドオフ処理手続きが必要であり、本発明では、周知のように、通信方式が異なるシステム間連動構造においても円滑に呼処理及びハンドオフ処理ができるようにした呼処理方法及びハンドオフ処理方法を提供する。
【００８６】
なお、本発明の呼処理方法及びハンドオフ処理方法は、コンピュータ処理により行われており、以下に述べるフローチャート上の動作は、通常マイクロコンピュータにより実行される動作を示している。
【００８７】
［実施の形態１］
添附した図7A〜図7Cは、本発明に係わる非同期移動通信システムにおける呼処理方法を示すフローチャートである。ここで、参照符号710は、非同期端末(MS）を示し、参照符号711は、呼処理部(CC)、712は、移動性管理部(MM)、713は、無線資源制御部(RRC)である。前記で呼処理部(CC)、移動性管理部(MM)、無線資源制御部(RRC）は、前記非同期端末(MS）に備えられている。
【００８８】
また、参照符号720は、非同期無線網(UTRAN）を示し、参照符号721は、前記非同期無線網720内の制御局(非同期無線網)に備わった無線資源制御部(RRC)である。
【００８９】
また、参照符号730は、同期式コア網であるANSI-41網を示し、参照符号731は移動性管理部(MM)、参照符号732は呼処理部(CC)であり、前記移動性管理部731及び呼処理部732は、同期式コア網730内の移動通信交換機(MSC)内に備えられている。
【００９０】
このような連動構造は、非同期移動通信システムの非同期無線網と同期式コア網が連動する構造であり、この場合の呼処理方法は下記の通りである。
【００９１】
まず、ステップS1で非同期端末(MS）のNAS(非アクセス階層：Non Access Stratum)に属するCC(呼制御：Call Control）は、非同期端末のAS(非アクセス階層：Access Stratum)に属するRRC(無線資源制御：Radio Resource Control)にASで支援するDC-SAP(専用制御サービスアクセスポイント：Dedicated Control Service Access Point）の「ユーザ装置側接続開始確立要求」（'UE Side Initiated Connection Establishment Request'）というプリミティブを利用して「発信」（‘Origination’）メッセージを伝送する。このメッセージをはじめとして呼発信(Call Origination）が始まる。
【００９２】
ステップS2で非同期端末のCCから「発信」（'Origination）メッセージを受信した非同期端末のRRCは、非同期無線網(Radio Network Controller)と呼ばれる基地/制御局を含む非同期無線網720内のRRCと連結され、この場合、DCCH(専用制御チャネル：Dedicated Control Channel）を使用することができる。したがって、非同期端末のRRCは、非同期無線網720のRRCに「RRC接続要求」（'RRC Connection Request'）メッセージを伝送してRRC 接続を要求する。
【００９３】
ステップS3で、非同期端末710のRRC713から「RRC接続要求」（'RRC Connection Request'）を受信した非同期無線網のRRC721は、非同期端末710が送ったメッセージにある情報を利用して非同期端末710とのRRC連結を遂行した後、RRC連結が完了したことを非同期端末710に「RRC接続設定」（'RRC Connection Setup'）メッセージを介して知らせ、非同期端末710と使用すべきであるDCCHの情報を非同期端末710に提供する。
【００９４】
ステップS4で、非同期無線網から「RRC接続設定」（'RRC Connection Setup'）メッセージを受信した非同期端末のRRCは、自分が使用すべきDCCHの情報を貯蔵し、自分が使用すべきDCCHを設定する。そして非同期端末のRRCは、非同期端末が有する能力に対する情報を「ユーザ装置能力案内情報」（'UE Capability Information'）メッセージで非同期無線網のRRCに伝送する。
【００９５】
ステップS5で、非同期端末のRRCから「ユーザ装置能力案内情報」（'UE Capability Information'）メッセージを受信した非同期無線網のRRCは、非同期端末が有する能力に対する情報を貯蔵し、これに対する応答として「ユーザ装置能力案内確認」（'UE Capability Confirm'）メッセージを非同期端末のRRCに伝送する。
【００９６】
ステップS6で、非同期無線網のRRCから「ユーザ装置能力案内確認」（'UE Capability Confirm'）メッセージを受信した非同期端末は、「発信」（'Origination）メッセージを非同期無線網のRRCに「初期直接転送」（'Initial Direct Transfer'）というメッセージを利用して伝送する。「初期直接転送」（'Initial Direct Transfer'）メッセージは、非同期端末のRRCと非同期無線網のRRCとの間にNASに属するプロトコルエンティティのメッセージを伝送するためにRRCプロトコル規約に定義されたメッセージである。すなわち、「初期直接転送」（'Initial Direct Transfer'）メッセージに「発信」（'Origination）メッセージがパラメーターの一部として含まれて伝送される。
【００９７】
ステップS7で非同期端末のRRCから「直接転送」（Direct Transfer） RRCメッセージを受信した非同期無線網のRRCは、このメッセージから「発信」（'Origination）メッセージを抽出及び分析し、必要な情報を貯蔵する。そして、同期式コア網730に非同期端末から「呼発信」（'Call Origination'）メッセージが届いたことを報せる「CMサービス要求」（‘CM Service Request’）メッセージを受信した「発信」（'Origination）メッセージを参照し伝送する。
【００９８】
ステップS8で、非同期無線網から「CMサービス要求」（‘CM Service Request’）メッセージを受信した同期式コア網は、「呼発信」（Call Origination）を要求した非同期端末の情報と通話しようとする非同期端末の情報、そして要求するサービスなどの色々な情報を貯蔵し、非同期無線網と同期式コア網とが通信できる有線資源を割り当てるために必要な情報と非同期無線網と非同期端末とが通信できる無線資源を割り当てろという‘Assignment Request’メッセージを非同期無線網に伝送する。
【００９９】
ステップS9で同期式コア網から「割当要求」（‘Assignment Request’）メッセージを受信した非同期無線網は、同期式コア網と通信できる有線資源を設定し、非同期端末と通信できる無線資源を割り当てるための過程を遂行する。無線資源を割り当てるためにまず、非同期無線網のRRCは、非同期端末が通話中に送る情報に対する保安のための暗号化に対する情報を含んでいる「暗号モード化命令」（‘Ciphering Mode Command’）メッセージを「ダウンリンク直接転送」（‘Downlink Direct Transfer’）メッセージを利用して非同期端末のRRCに伝送する。
【０１００】
ステップS10で、非同期無線網のRRCから「ダウンリンク直接転送」（‘Downlink Direct Transfer’）メッセージを介して「暗号モード化命令」（‘Ciphering Mode Command’）メッセージを受信した非同期端末のRRCは、この情報をDC-SAPで支援するデータ転送指示（Data Transfer Indication）プリミティブを利用して非同期端末のNASに属するMM(移動管理：Mobility Management)に伝送する。
【０１０１】
ステップS11で、非同期端末のRRCから「暗号モード化命令」（‘Ciphering Mode Command’）メッセージを受信した非同期端末のMMは、暗号化に対する情報を貯蔵し、これに対する応答をDC-SAPで支援するデータ転送要求（Data Transfer Request）プリミティブを利用して非同期端末のRRCに「暗号モード化完了」（‘Ciphering Mode Complete’）メッセージを伝送する。
【０１０２】
ステップS12で、非同期端末のMMから「暗号モード化完了」（‘Ciphering Mode Complete’）メッセージを受信した非同期端末のRRCは、非同期無線網のRRCに「アップリンク直接転送」（‘Uplink Direct Transfer’）メッセージを利用して「暗号モード化完了」（‘Ciphering Mode Complete’）メッセージを伝送する。
【０１０３】
ステップS13で、非同期端末のRRCから「暗号モード化完了」（‘Ciphering Mode Complete’）メッセージを受信した非同期無線網のRRCは、暗号化に対する設定が完了したことを認識し、無線資源の設定をするために基本的な無線資源の情報を有した「チャネル割当」（'Channel Assignment'）メッセージを‘Downlink Direct Transfer’メッセージを利用して非同期端末のRRCに伝送する。
【０１０４】
ステップS14で、非同期無線網のRRCから「チャネル割当」（'Channel Assignment'）メッセージを受信した非同期端末のRRCは、このメッセージをDC-SAPで支援する「ユーザ側開始接続確立完了」（UE Side Initiated Connection Establishment Confirm）プリミティブを利用して非同期端末のCCに伝送する。非同期端末のRRCから「チャネル割当」（'Channel Assignment'）メッセージを受信した非同期端末のCCは、このメッセージにある情報を貯蔵する。このメッセージは、「無線方位割当設定」（‘Radio Bearer Assignment Setup’）メッセージにも代替され得る。
【０１０５】
ステップS15で、非同期無線網のRRCは、「チャネル割当」（'Channel Assignment'）メッセージを伝送した後、実質的に非同期無線網と端末との間の無線資源を設定するための「無線方位割当設定」（‘Radio Bearer Assignment Setup’）RRCメッセージを非同期端末のRRCに伝送する。
【０１０６】
ステップS16で、非同期無線網のRRCから「無線方位割当設定」（‘Radio Bearer Assignment Setup’）メッセージを受信した非同期端末のRRCは、無線資源を設定するために必要な情報を貯蔵し、その他の情報は、DC-SAPで支援するIF側開始無線アクセス方位確立指示（IF Side Initiated Radio Access Bearer Establishment Indication）プリミティブを利用して「無線方位割当設定」（'Radio Bearer Assignment Setup’）メッセージを非同期端末のCCに伝送する。その後、貯蔵された情報を利用して無線資源を設定する。
【０１０７】
ステップS17で、非同期端末のRRCから「無線方位割当設定」（‘Radio Bearer Assignment Setup’）メッセージを受信した非同期端末のCCはメッセージにある情報を貯蔵し、DC-SAPで支援するIF側開始無線アクセス方位確立応答（IF Side Initiated Radio Access Bearer Establishment Response）プリミティブを利用して「無線方位割当設定完了」（‘Radio Bearer Assignment Setup Complete’）を非同期端末のRRCに伝送する。
【０１０８】
ステップS18で、非同期端末のCCから「無線方位割当設定完了」（‘Radio Bearer Assignment Setup Complete’）メッセージを受信した非同期端末のRRCは、無線資源の設定を完了した後、非同期無線網のRRCに「無線方位設定完了」（‘Radio Bearer Setup Complete’）RRCメッセージを伝送する。
【０１０９】
ステップS19で、非同期端末のRRCから「無線方位設定完了」（‘Radio Bearer Setup Complete’）RRCメッセージを受信した非同期無線網のRRCは、無線資源の設定が完了したことを認識し、「ダウンリンク直接転送」（‘Downlink Direct Transfer’）メッセージを利用して「サービス接続メッセージ」（‘Service Connect Message’）を非同期端末のRRCに伝送することによって、非同期端末が要求したサービスに対する構成情報を非同期端末に送ることによって、非同期端末がこのサービス構成情報に応じて通話処理ができるようにする。
【０１１０】
ステップS20で、非同期無線網のRRCから「サービス接続メッセージ」（‘Service Connect Message’）を受信した、非同期端末のRRCは、DC-SAPで支援するデータ転送指示（Data Transfer Indication）プリミティブを利用して非同期端末のCCに「サービス接続メッセージ」（‘Service Connect Message’）を伝送する。
【０１１１】
ステップS21で、非同期端末がRRCから「サービス接続メッセージ」（‘Service Connect Message’）を受信した非同期端末のCCは、サービス構成情報を貯蔵し、DC-SAPで支援するデータ転送要求（Data Transfer Request）プリミティブを利用して「サービス接続完了」（‘Service Connect Completion’）メッセージを伝送する。
【０１１２】
ステップS22で、非同期端末のCCから「サービス接続完了」（‘Service Connect Completion’）メッセージを受信した非同期端末のRRCは、「アップリンク直接転送」（‘Uplink Direct Transfer’）メッセージを利用して「サービス接続完了」（‘Service Connect Completion’）メッセージを非同期無線網のRRCに伝送する。
【０１１３】
ステップS23で、非同期端末のRRCから「サービス接続完了」（‘Service Connection Completion’）メッセージを受信した非同期無線網のRRCは、サービス構成情報設定が完了し、また無線資源設定が完了したことを認識し、非同期端末が通話が可能な状態であることを同期式コア網に報せるために同期式コア網に「割当完了」（‘Assignment Complete’）メッセージを伝送する。
【０１１４】
ステップS24で、非同期無線網から「割当完了」（‘Assignment Complete’）メッセージを受信した同期式コア網は、非同期端末が通話が可能な状態であることを認識し、通話ができる時まで待機しろという意味で呼び出し音（Ring Back tone）を「アラート（警戒）」（‘Alert’）メッセージを利用して非同期無線網のRRCに伝送する。
【０１１５】
ステップS25で、同期式コア網内の交換機から「アラート（警戒）」（‘Alert’）メッセージを受信した非同期無線網は、「ダウンリンク直接転送」（‘Downlink Direct Transfer’）メッセージを利用して「アラート（警戒）」（‘Alert’）メッセージを非同期端末のRRCに伝送する。
【０１１６】
ステップS26で、非同期無線網のRRCから「アラート（警戒）」（‘Alert’）メッセージを受信した非同期端末のRRCは、DC-SAPで支援するデータ転送指示（Data Transfer Indication）プリミティブを利用して非同期端末のCCに伝送する。非同期端末のCCは、「アラート（警戒）」（‘Alert’）メッセージを受信した後、ハードウェアと連動してユーザに音（Tone）を発生させる。このように非同期端末と同期式コア網との間の連動が可能である。
【０１１７】
［実施の形態２］
添附した図8は、本発明に係わる非同期移動通信システムにおける呼処理方法の第2の実施の形態を示すフローチャートである。
【０１１８】
ここで、参照符号710は、非同期端末(MS）を示し、参照符号711は、呼処理部(CC)、712は、移動性管理部(MM)、713は、無線資源制御部(RRC)である。前記で呼処理部(CC)、移動性管理部(MM)、無線資源制御部(RRC）は、前記非同期端末(MS）に備えられている。
【０１１９】
また、参照符号720は、非同期無線網(UTRAN）を示し、参照符号721は、前記非同期無線網720内の制御局(非同期無線網)に備えられた無線資源制御部(RRC)である。
【０１２０】
また、参照符号730は、同期式コア網としてANSI-41網を示し、参照符号731は、移動性管理部(MM)、参照符号732は、呼処理部(CC)であり、前記移動性管理部731及び呼処理部732は、同期式コア網730内の移動通信交換機(MSC)内に備えられている。
【０１２１】
このような連動構造は、非同期移動通信システムの非同期無線網と同期式コア網とが連動する構造であり、この場合の呼処理方法(呼解除過程）は下記の通りである。
【０１２２】
まず、ステップS31で、通話が完了した場合、非同期端末のCCは、DC-SAPで支援するデータ転送要求（Data Transfer Request）プリミティブを利用して下位のRRCに無線資源及び有線資源の解除を要求する「解除指令」（'Release Order'）メッセージを伝送する。
【０１２３】
ステップS32で、このメッセージを受信した非同期端末のRRCは、「アップリンク直接転送」（‘Uplink Direct Transfer’）メッセージを利用して「解除指令」（‘Release Order’）メッセージを非同期無線網のRRCに伝送する。
【０１２４】
ステップS33で、このメッセージを受信した非同期無線網は、非同期端末が無線資源及び有線資源に対する解除を要求していることを認識し、これを同期式コア網内の交換機のCCに要求する「消去要求」（‘Clear Request’）メッセージを伝送する。
【０１２５】
ステップS34でこのメッセージを受信した同期式コア網内の交換機のCCは、非同期端末が無線資源及び有線資源に対する解除を要求することを認識し、有線資源と無線資源とを解除しろという命令を非同期無線網に報せるために「消去命令」（‘Clear Command’）メッセージを伝送する。
【０１２６】
ステップS35でこのメッセージを受信した非同期無線網は、無線資源と有線資源との解除をはじめるために、非同期端末で要求した「解除要求」（‘Release Order’）メッセージに対する応答として「解除要求」（‘Release Order’）メッセージを非同期端末のRRCに伝送し、無線資源と有線資源との解除を始める。
【０１２７】
ステップS36で、このメッセージを受信した非同期端末のRRCは、前記メッセージをDC-SAPで支援するデータ転送指示（Data Transfer Indication）プリミティブを利用して「解除要求」（‘Release Order’）メッセージを非同期端末のCCに伝送する。
【０１２８】
ステップS37で無線資源を解除するために非同期無線網のRRCは、非同期端末のRRCに「無線方位解除」（‘Radio Bearer Release’）RRCメッセージを伝送する。
【０１２９】
ステップS38で、このメッセージを受信した非同期端末のRRCは、無線専用資源を解除し、この事実をDC-SAPで提供するIF側開始無線アクセス方位解除指示（IF Side Initiated Radio Access Bearer Release Indication）プリミティブを利用して、「無線方位解除」（‘Radio Bearer Release’）メッセージを上位のCCに伝送する。
【０１３０】
ステップS39で、このメッセージを受信した非同期端末のCCは、非同期端末と非同期無線網との間の無線専用資源が解除されたことを認識し、これに対する応答メッセージをDC-SAPで支援するIF側開始無線アクセス方位解除指示（IF Side Initiated Radio Access Bearer Release Indication）プリミティブを利用して「無線方位解除完了」（'Radio Bearer Release Complete’）メッセージを下位のRRCに伝送する。
【０１３１】
ステップS40で、このメッセージを受信した非同期端末のRRCは、非同期無線網との無線専用資源の解除が完了したことを報せる「無線方位完了」（‘Radio Bearer Complete’）RRCメッセージを非同期無線網のRRCに伝送する。
【０１３２】
ステップS41でこのメッセージを受信した非同期無線網のRRCは、階層3シグナルリングと無線共用資源を解除するために非同期端末のRRCに「RRC接続解除」（'RRC Connection Release'）RRCメッセージを伝送する。
【０１３３】
ステップS42でこのメッセージを受信した非同期端末のRRCは、DS非同期無線網との階層3シグナルリングと無線共用資源とを解除すべきであることを認識し、無線共用資源を解除するということを非同期無線網のRRCに「RRC接続解除完了」（'RRC Connection Release Complete'）RRCメッセージを伝送した後、非同期無線網との階層3シグナルリングと無線共用資源とを解除する。
【０１３４】
ステップS43でこのメッセージを受信した非同期無線網のRRCは、端末との階層3シグナルリングと無線共用資源が解除されたことを認識し、非同期端末との全ての通信資源及びシグナルリングの解除が完了したことを交換機のCCプロトコルエンティティに「消去完了」（‘Clear Complete’）を介して報せる。
【０１３５】
このような過程で連結された呼が解除される。
【０１３６】
添附した図9は、同期式コア網内の移動通信交換機で先に呼解除シグナルが発生した場合の呼解除方法を示したフローチャートである。
【０１３７】
まず、ステップS51で同期式コア網内の交換機で有線資源と無線資源とを解除しろという命令を非同期無線網に報せるために「消去命令」（‘Clear Command’）メッセージを伝送する。
【０１３８】
ステップS52でこのメッセージを受信した非同期無線網は無線資源と有線資源との解除を始めるために、非同期端末で要求した「解除要求」（‘Release Order’）メッセージに対する応答として‘「解除要求」（Release Order’）メッセージを非同期端末のRRCに伝送し、無線資源と有線資源との解除を始める。
【０１３９】
ステップS53でこのメッセージを受信した非同期端末のRRCは、前記メッセージをDC-SAPで支援するデータ転送指示（Data Transfer Indication）プリミティブを利用して「解除要求」（‘Release Order’）メッセージを非同期端末のCCに伝送する。
【０１４０】
ステップS54で無線資源を解除するために非同期無線網のRRCは、非同期端末のRRCに「無線方位解除」（‘Radio Bearer Release’）RRCメッセージを伝送する。
【０１４１】
ステップS55でこのメッセージを受信した非同期端末のRRCは、無線専用資源を解除し、この事実をDS-SAPで提供するIF側開始無線アクセス方位解除指示（IF Side Initiated Radio Access Bearer Release Indication）プリミティブを利用して「無線方位解除」（‘Radio Bearer Release’）メッセージを上位のCCに伝送する。
【０１４２】
ステップS56でこのメッセージを受信した非同期端末のCCは、非同期端末と非同期無線網との間の無線専用資源が解除されたことを認識し、これに対する応答メッセージをDC-SAPで支援するIF側開始無線アクセス方位解除指示（IF Side Initiated Radio Access Bearer Release Indication）プリミティブを利用して「無線方位解除完了」（‘Radio Bearer Release Complete’）メッセージを下位のRRCに伝送する。
【０１４３】
ステップS57でこのメッセージを受信した非同期端末のRRCは、非同期無線網との無線専用資源の解除が完了したことを報せる「無線方位解除完了」（‘Radio Bearer Release Complete’）RRCメッセージを非同期無線網のRRCに伝送する。
【０１４４】
ステップS58でこのメッセージを受信した非同期無線網のRRCは、階層3シグナルリングと無線共用資源を解除するために非同期端末のRRCに「RRC接続解除」（‘RRC Connection Release’）RRCメッセージを伝送する。
【０１４５】
ステップS59でこのメッセージを受信した非同期端末のRRCはDS非同期無線網との階層3シグナルリングと無線共用資源を解除すべきことを認識し、無線共用資源を解除することを非同期無線網のRRCに「RRC接続解除完了」（‘RRC Connection Release Complete’）RRCメッセージを伝送した後、非同期無線網との階層3シグナルリングと無線共用資源とを解除する。
【０１４６】
ステップS60でこのメッセージを受信した非同期無線網のRRCは、端末との階層3シグナルリングと無線共用資源が解除されたことを認識し、非同期端末との全ての通信資源及びシグナルリングの解除が完了したことを交換機のCCプロトコルエンティティに「消去完了」（‘Clear Complete’）を介して報せる。
【０１４７】
［実施の形態３］
添附した図10Aおよび図10Bは、本発明に係わる非同期移動通信システムにおけるハンドオフ処理方法を示すフローチャートである。この場合はソース非同期無線網に同期式コア網が連動し、その同期式コア網にまた目標非同期無線網が連動する構造である。
【０１４８】
ここで、参照符号740は、非同期端末(MS）、741は、呼処理部(CC)、742は非同期端末740に備わる無線資源制御部(RRC)である。
【０１４９】
また、参照符号750は、ソース非同期無線網750を示し、751は、前記非同期無線網内の制御局に備わる無線資源制御部(RRC)を示す。
【０１５０】
また、参照符号760は、同期式コア網(ANSI-41網）を示し、761は前記同期式コア網に備わる無線資源制御部(RR)であり、762は、前記同期式コア網に備わる呼処理部(CC)を示す。
【０１５１】
また、参照符号770は、前記同期式コア網760と連動する目標非同期無線網を示し、771は、前記目標非同期無線網770に備わる無線資源制御部(RRC)である。
【０１５２】
まず、ステップS71でソース DS非同期無線網のRRCは、DS非同期端末のRRCに無線リンクの性能及びパワーなどを測定できる情報を提供する。この情報を利用して非同期端末は、無線リンクを測定してその結果をソース DS非同期無線網のRRCに伝送しこの結果に基づいてハンドオーバー可否が決定される。
したがって、ソース DS非同期無線網のRRCは、DS非同期端末のRRCに「測定制御」（'Measurement Control'）RRCメッセージを伝送する。
【０１５３】
ステップS72でソース DS非同期無線網のRRCから「測定制御」（‘Measurement Control’）RRCメッセージを受信した非同期端末は、この情報を利用して無線リンクの性能及びパワーなどを測定し、その結果を「測定リポート」（‘Measurement Report’）RRCメッセージに載せてソース DS非同期無線網のRRCに伝送する。「測定リポート」（‘Measurement Report’）RRCメッセージを受信したソース DS非同期無線網のRRCは、この情報を利用してハンドオーバーするかどうかを決定する。
【０１５４】
ステップS73でソース DS非同期無線網でハンドオーバーをすることに決定した状態であるならば、ソース DS非同期無線網は、ハンドオーバーを要求する「ハンドオーバー要求」（‘Handover Required’）メッセージを同期式コア網内の交換機(MSC）のRRに伝送する。このメッセージにはハンドオーバーをしようとする目標 DS非同期無線網の情報が含まれる。
【０１５５】
ステップS74でソース DS非同期無線網から「ハンドオーバー要求」（‘Handover Required’）メッセージを受信した同期式コア網内の交換機のRRは、メッセージ内の情報を解析してハンドオーバーをすべきである目標（Target） DS 非同期無線網情報を把握する。把握された目標（Target） DS非同期無線網に「ハンドオフ要求」（‘Handoff Request’）メッセージを伝送して、目標（Target） DS非同期無線網にハンドオーバーが発生することを報せる。
【０１５６】
ステップS75で同期式コア網内の交換機のRRから「ハンドオフ要求」（‘Handoff Request’）メッセージを受信した目標（Target） DS非同期無線網は、ハンドオーバーが発生することを認識し、ハンドオーバーが発生するソース DS非同期無線網情報と非同期端末の情報とを解析して貯蔵し、ハンドオーバーする準備をする。そしてこのメッセージの応答で同期式コア網内の交換機に「ハンドオーバー要求Ack（アクノリッジメント：承認）」（‘Handover Request Ack’）メッセージを伝送する。
【０１５７】
ステップS76で目標（Target） DS非同期無線網から「ハンドオーバー要求Ack（承認）」（‘Handover Request Ack’）メッセージを受信した同期式コア網内の交換機のRRは、目標（Target） DS非同期無線網がハンドオーバーする準備ができたことを認識し、ソース DS非同期無線網に「ハンドオフ命令」（‘Handoff
Command’）メッセージを伝送する。
【０１５８】
ステップS77で同期式コア網内の交換機のRRから「ハンドオフ命令」（‘Handoff Command’）メッセージを受信したソース DS非同期無線網は、ハンドオーバーすることとなる目標（Target） DS非同期無線網の情報をDS非同期端末のRRCに「物理的チャネル再構成」（‘Physical Channel Reconfiguration’）RRCメッセージを介して伝送する。
【０１５９】
ステップS78でソース DS非同期無線網のRRCから「物理的チャネル再構成」（‘Physical Channel Reconfiguration’）メッセージを受信したDS非同期端末のRRCは、目標（Target） DS 非同期無線網にハンドオーバーする準備をする。そして、応答で「MS Ack（承認）指令」（‘MS Ack Order’）メッセージをソース DS非同期無線網のRRCに伝送する。
【０１６０】
ステップS79で「MS Ack（承認）指令」（‘MS Ack Order’）メッセージを受信したソース DS非同期無線網のRRCは、非同期端末でハンドオフを始めるということを認識し、ハンドオフスタートを同期式コア網内の交換機のRRに「ハンドオフ開始」（'Handoff Commenced'）メッセージを利用して伝送する。
【０１６１】
ステップS80で非同期端末と目標（Target） DS非同期無線網との間に相互通信のための無線リンクの設定及び同期合せ作業を遂行する。
【０１６２】
ステップS81で非同期端末のRRCは、目標（Target） DS 非同期無線網との階層3シグナルリング設定及び DCCH(Dedicated Control Channel）を使用するために「RRC接続再確立要求」（‘RRC Connection Re-establishment Request’）RRCメッセージを目標（Target） DS非同期無線網のRRCに伝送する。
【０１６３】
ステップS82でこのメッセージを受信した目標（Target） DS非同期無線網のRRCは、階層3シグナルリング設定情報とDCCHの情報とを非同期端末に提供するために「RRC接続再確立要求」（'RRC Connection Re-establishment'）RRC メッセージを非同期端末のRRCに伝送する。
【０１６４】
ステップS83でこのメッセージを受信した非同期端末のRRCは、メッセージの情報を解析して目標（Target） DS非同期無線網との階層3シグナルリング及びDCCHを設定し、設定完了を目標（Target） DS非同期無線網のRRCに伝送するために「RRC接続再確立完了」（‘RRC Connection Re-establishment Complete’）メッセージを目標（Target）非同期無線網のRRCに伝送する。
【０１６５】
ステップS84で非同期端末が目標（Target）非同期無線網との無線リンクの設定及び同期一致が完了し、無線プロトコルに対するシグナルリング設定が完了した後、非同期端末のRRCは、ハンドオフが完了したことを「物理的チャネル再構成完了」（‘Physical Channel Reconfiguration Complete’）RRCメッセージを介して目標（Target） DS非同期無線網のRRCに伝送する。
【０１６６】
ステップS85でこのメッセージを受信した目標（Target） DS非同期無線網は、ハンドオフが完了したことを認識し、現在端末と目標（Target） DS非同期無線網とが通信中であることを「ハンドオフ完了」（‘Handoff Complete’）メッセージを介して同期式コア網内の交換機のRRに伝送する。
【０１６７】
ステップS86でこのメッセージを受信した同期式コア網内の交換機のRRはCCと内部的な通信を介してハンドオフの完了を報せる。ハンドオフ完了を認識した同期式コア網内の交換機のCCは、ソース DS非同期無線網の有線資源と無線資源とを解除するためにソース DS非同期無線網に、「消去命令」（‘Clear Command’）メッセージを伝送する。
【０１６８】
ステップS87でこのメッセージを受信したソース DS非同期無線網のRRCは、無線資源と有線資源とを解除すべきであるという事実を認識し、無線資源を解除するために非同期端末のRRCに「無線方位解除」（‘Radio Bearer Release’）RRCメッセージを伝送する。
【０１６９】
ステップS88でこのメッセージを受信した非同期端末のRRCは、無線専用資源を解除し、この事実をDC-SAPで提供するIF側開始無線アクセス方位解除指示（IF Side Initiated Radio Access Bearer Release Indication）プリミティブを利用して「無線方位解除」（‘Radio Bearer Release’）メッセージを上位のCCに伝送する。
【０１７０】
ステップS89でこのメッセージを受信した非同期端末のCCは、非同期端末とソース DS非同期無線網との間の無線専用資源が解除されたことを認識し、これに対する応答メッセージをDC-SAPで支援するIF側開始無線アクセス方位解除指示（IF Side Initiated Radio Access Bearer Release Indication）プリミティブを利用して「無線方位解除完了」（‘Radio Bearer Release Complete’）メッセージを下位のRRCに伝送する。
【０１７１】
ステップS90でこのメッセージを受信した非同期端末のRRCは、ソース DS非同期無線網との無線専用資源の解除が完了したことを報せる「無線方位解除完了」（‘Radio Bearer Release Complete’）RRCメッセージをソース DS非同期無線網のRRCに伝送する。
【０１７２】
ステップS91でこのメッセージを受信したソース非同期無線網のRRCは、階層3シグナルリングと無線共用資源とを解除するために非同期端末のRRCに「RRC接続解除」（'RRC Connection Release'）RRCメッセージを伝送する。
【０１７３】
ステップS92でこのメッセージを受信した非同期端末のRRCは、ソース DS非同期無線網との階層3シグナルリングと無線共用資源とを解除すべきことを認識し、無線共用資源を解除するということをソース DS非同期無線網のRRCに「RRC接続解除完了」（'RRC Connection Release Complete'）RRCメッセージを伝送した後、ソース DS非同期無線網との階層3シグナルリングと無線共用資源とを解除する。
【０１７４】
ステップS93でこのメッセージを受信したソース DS非同期無線網は、非同期端末との階層3シグナルリングと無線共用資源とが解除されたことを認識し、非同期端末との全ての通信資源及びシグナルリングの解除が完了したことを交換機のCCに「消去完了」（‘Clear Complete’）を介して報せる。
【０１７５】
このような過程を介してソース非同期無線網と同期式コア網及び目標非同期無線網との間にハードハンドオフが実施される。
【０１７６】
添附した図11Aおよび図11Bは、本発明に係わる非同期移動通信システムにおけるハンドオフ処理方法を示すフローチャートである。この場合はソース非同期無線網に同期式コア網が連動し、その同期式コア網に目標同期無線網が連動する構造である。
【０１７７】
ここで、参照符号740は、非同期端末(MS）、741は、呼処理部(CC)、742は、非同期端末740に備わる無線資源制御部(RRC)であり、参照符号743は同期RRを示す。
【０１７８】
また、参照符号750は、ソース非同期無線網750を示し、751は、前記非同期無線網内の制御局に 備わる無線資源制御部(RRC)を示す。
【０１７９】
また、参照符号760は、同期式コア網(ANSI-41網）を示し、761は、前記同期式コア網に備わる無線資源制御部(RR)であり、762は、前記同期式コア網に備わる呼処理部(CC)を示す。
【０１８０】
また、参照符号780は、前記同期式コア網760と連動する目標同期無線網を示す。
【０１８１】
まずステップS101でソース DS非同期無線網(RNC）のRRCは、非同期端末のRRCに無線リンクの性能及びパワーなどを測定できる情報を提供する。この情報を利用して非同期端末は、無線リンクを測定してその結果をソース DS非同期無線網のRRCに伝送しこの結果に基づいてハンドオーバー可否が決定される。したがって、ソース DS非同期無線網のRRCは、非同期端末のRRCに「測定制御」（Measurement Control） RRCメッセージを伝送する。
【０１８２】
ステップS102でソース DS非同期無線網のRRCから「測定制御」（Measurement Control ）RRCメッセージを受信した非同期端末は、この情報を利用して無線リンクの性能及びパワーなどを測定し、その結果を「測定リポート」（Measurement Report） RRCメッセージに載せてソース DS RNCのRRCに伝送する。「測定リポート」（Measurement Report ）RRCメッセージを受信したソース DS RNCのRRCは、この情報を利用してハンドオフするかどうかを決定する。
【０１８３】
前記でハンドオフと決定された場合、ステップS103でソース DS RNCはハンドオフを要求する「ハンドオフ要求」（Handoff Required）メッセージを同期式コア網内の交換機(MSC）のRRに伝送する。このメッセージにはハンドオフをしようとする目標（Target） MC システムの情報が含まれる。
【０１８４】
ステップS104でソース DS RNCから「ハンドオフ要求」（Handoff Required）メッセージを受信した交換機のRRは、このメッセージを受信してソース DS RNCがハンドオーバーを要求しており、メッセージの情報要素を解析し、ハンドオーバーをすべきである目標（Target） MC システム情報を把握する。把握された目標（Target） MC システムに「ハンドオフ要求」（Handoff Request ）メッセージを伝送して、目標（Target） MC システム(同期無線網)にハンドオーバーが発生することを報せる。すると目標（Target） MC システムは、現在自分のシステムにハンドオフをする端末に割り当てることのできる資源を確認する。
【０１８５】
ステップS105で目標（Target） MC システムに端末に割り当てることのできる資源がある場合として、目標（Target） MC システムは、適切な資源を割り当てて、ハンドオフをすべきである端末の呼と連結する。そして、目標（Target） MC システムは、ハンドオフをすべきである端末に「空前方向通信チャネルフレーム」（Null Forward Traffic Channel Frame）を伝送する。
【０１８６】
そしてステップS106でこのメッセージの応答として交換機で「ハンドオフ要求」（Handoff Request） Ackメッセージを同期式コア網内の交換機のRRに伝送する。
【０１８７】
ステップS107で目標（Target） MC システムから「ハンドオフ要求」（Handoff Request Ack）メッセージを受信した交換機のRRは、目標（Target） MC システムがハンドオフする準備ができたことを認識し、ソース DS RNCに「ハンドオフ命令」（Handoff Command）メッセージを伝送する。
【０１８８】
ステップS108で交換機のRRから「ハンドオフ命令」（Handoff Command）メッセージを受信したソース DS RNCは、ハンドオフをすることとなる目標（Target） MC システムの情報を「システム相互間ハンドオーバー命令」（Inter System Handover Command） RRCメッセージを介して非同期端末のRRCに伝送する。
【０１８９】
ステップS109でソース DS RNCのRRCから「システム相互間ハンドオーバー命令」（Inter System Handover Command）メッセージを受信した非同期端末のRRCは、目標（Target） MC システムにハンドオフする準備をする。そして、応答として「MS Ack（承認）指令」（MS Ack Order）メッセージをソース DS RNCのRRCに伝送する。
【０１９０】
ステップS110で「MS Ack（承認）指令」（MS Ack Order）メッセージを受信したソース DS RNCは、非同期端末でハンドオフを始めるということを認識し、ハンドオフスタートを報せるために交換機のRRに「ハンドオフ開始」（Handoff Commenced）メッセージを利用して伝送する。
【０１９１】
ステップS111で非同期端末は、「逆方向通信チャネルフレーム」（Reverse Traffic Channel Frame）と「通信チャネルプリアンブル」（Traffic channel preamble）とを目標（Target） MC システムに伝送して、非同期端末と目標（Target） MC システムとの間に相互通信のための無線リンクの設定及び同期合せ作業を遂行する。
【０１９２】
ステップS112で非同期端末が目標（Target） RNCとの無線リンクの設定及び同期一致が完了し、無線プロトコルに対するシグナルリング設定が完了した後、非同期端末のRRCは、ハンドオフが完了したことを「ハンドオフ完了」（Handoff completion）メッセージを介して目標（Target） MC システムに伝送する。
【０１９３】
ステップS113で非同期端末から「ハンドオフ完了」（Handoff completion）メッセージを受信した目標（Target） MC システムは、このメッセージの応答として、「BS Ack（承認） 要求」（BS Ack Order）メッセージを伝送する。
【０１９４】
ステップS114で目標（Target） MC システムは、ハンドオフが完了したことを認識し、現在端末と目標（Target） MC システムとが通信中であることを報せるために「ハンドオフ完了」（Handoff Complete）メッセージを介して交換機のRRに伝送する。
【０１９５】
ステップS115でこのメッセージを受信した交換機のRRは、CCと内部的な通信を介してハンドオフの完了を報せる。ハンドオフ完了を認識した交換機のCCは、ソース DS RNCの有線資源と無線資源とを解除するためにソース DS RNCに「消去命令」（Clear Command）メッセージを伝送する。
【０１９６】
ステップS116でこのメッセージを受信したソース DS RNCのRRCは、無線資源と有線資源とを解除すべきであるという事実を認識し、無線資源を解除するために非同期端末のRRCに「無線方位解除」（Radio Bearer Release） RRCメッセージを伝送する。
【０１９７】
ステップS117でこのメッセージを受信した非同期端末のRRCは、無線専用資源を解除し、この事実をDC-SAPで提供する「IF側開始無線アクセス方位解除指示」（IF Side Initiated Radio Access Bearer Release Indication）プリミティブを利用して「無線方位解除」（Radio Bearer Release）メッセージを上位のCCに伝送する。
【０１９８】
ステップS118でこのメッセージを受信した非同期端末のCCは、非同期端末とソース DS RNCとの間の無線専用資源が解除されたことを認識し、これに対する応答メッセージをDC-SAPで支援する「IF側開始無線アクセス方位解除指示」（IF Side Initiated Radio Access Bearer Release Indication）プリミティブを利用して「無線方位解除完了」（Radio Bearer Release Complete）メッセージを下位のRRCに伝送する。
【０１９９】
ステップS119でこのメッセージを受信した端末のRRCは、ソース DS RNCとの無線専用資源の解除が完了したことを報せる「無線方位解除完了」（Radio Bearer Complete RRC）メッセージをソース DS RNCのRRCに伝送する。
【０２００】
ステップS120でこのメッセージを受信したソース RNCのRRCは、階層3シグナルリングと無線共用資源とを解除するために非同期端末のRRCに「RRC接続解除」（RRC Connection Release） RRCメッセージを伝送する。
【０２０１】
ステップS121でこのメッセージを受信した端末のRRCは、ソース DS RNCとの階層3シグナルリングと無線共用資源とを解除すべきであることを認識し、無線共用資源を解除するということをソース DS RNCのRRCに「RRC接続解除完了」（RRC Connection Release Complete） RRCメッセージを伝送した後、ソース DS RNCとの階層3シグナルリングと無線共用資源とを解除する。
【０２０２】
ステップS122でこのメッセージを受信したソース DS RNCは、非同期端末との階層3シグナルリングと無線共用資源とが解除されたことを認識し、非同期端末との全ての通信資源及びシグナルリングの解除が完了したことを交換機のCCに「消去完了」（Clear Complete）メッセージを介して報せる。
【０２０３】
添附した図12Aおよび図12Bは、本発明に係わる非同期移動通信システムにおけるハンドオフ処理方法を示すフローチャートである。この場合は、ソース同期無線網に同期式コア網が連動し、その同期式コア網に目標非同期無線網が連動する構造であり、ソース同期無線網で目標非同期無線網にハンドオフを要求した場合である。
【０２０４】
ここで、参照符号810は、同期端末(MS）、811は呼処理部(CC)、812は、同期端末810に備わる無線資源制御部(RRC)であり、参照符号813は、同期RRを示す。
【０２０５】
また、参照符号800は、同期通信方式の同期無線網を示す。
【０２０６】
また、参照符号760は、同期式コア網(ANSI-41網）を示し、763は、前記同期式コア網に備わる移動性管理部(MM)であり、761は、前記同期式コア網に備わる呼処理部(CC)を示す。
【０２０７】
また、参照符号790は、目標非同期無線網を示し、791は、前記非同期無線網内の制御局に備わる無線資源制御部(RRC)を示す。
【０２０８】
ステップS131でソース MC システムは、非同期端末のRRに現在使用中ではないが、ハンドオフを介して使用することのできる周辺の無線リンクの測定を要求するメッセージである「候補周波数サーチ要求」（Candidate Frequency Search Request）メッセージを伝送する。
【０２０９】
ステップS132でこのメッセージを受信した端末のRRは、周辺の無線リンクの測定をすべきであることを認識し、応答として「候補周波数サーチ応答」（Candidate Frequency Search Response）メッセージをソース MC システムに伝送する。
【０２１０】
ステップS133でこのメッセージを受信したソース MC システムは、端末が測定すべきである周辺の無線リンクの情報及び測定の範囲、測定周期等測定に関連した情報を「候補周波数制御」（Candidate Frequency Control）メッセージを利用して端末のRRに伝送する。
【０２１１】
ステップS134でこのメッセージを受信した端末のRRは、周辺の無線リンクの情報及び測定に関連した情報を貯蔵する。そして、貯蔵された情報に応じて周辺の無線リンクに対する情報を測定した後、測定結果を「候補周波数サーチリポート」（Candidate Frequency Search Report）メッセージを利用してソース MC システムに伝送する。この情報を受信したソース MC システムは、この情報を利用してハンドオフするかどうかを決定する。
【０２１２】
前記ソース MC システムでハンドオフと決定された場合、ステップS135でソース MC システムは、ハンドオフを要求する「ハンドオフ要求」（Handoff Required）メッセージを同期式コア網内の交換機(MSC）のRRに伝送する。このメッセージにはハンドオフをしようとする目標（Target） DS RNCの情報が含まれる。
【０２１３】
ステップS136でこのメッセージを受信した交換機のRRは、このメッセージを受信してソース MC システムがハンドオフを要求していることを認識し、メッセージの情報要素を解析して目標（Target） DS RNC情報を把握する。そして、把握された目標（Target） DS RNCに「ハンドオフ要求」（Handoff Request）メッセージを伝送して、目標（Target） DS RNCにハンドオフを発生することを報せる。
【０２１４】
このメッセージを受信した目標（Target） DS RNCは、ハンドオフが発生することを認識し、ハンドオフが発生するソース MC システムの情報と端末の情報とを解析及び貯蔵し、現在自分のシステムにハンドオフする端末に割り当てることのできる資源を確認する。
【０２１５】
そしてステップS137で目標（Target） DS RNCにハンドオフする端末に割り当てることのできる資源がある場合として、受信した「ハンドオフ要求」（Handoff Request）応答として、「ハンドオフ要求」（Handoff Request ）Ackメッセージを交換機のRRに伝送する。
【０２１６】
ステップS138でこのメッセージを受信した交換機のRRは、目標（Target） DS RNCがハンドオフする準備ができたことを認識し、ソース MC システムにハンドオフを要求する「ハンドオフ命令」（Handoff Command）メッセージをソース MC
システムに伝送する。
【０２１７】
ステップS139でこのメッセージを受信したソース MC システムは、端末のRRにハンドオフを要求する「拡張ハンドオフ指示」（Extended Handoff Direction）メッセージまたは「通常ハンドオフ指示」（General Handoff Direction）メッセージを伝送する。
【０２１８】
ステップS140でこのメッセージを受信した端末のRRは、目標（Target） DS RNCにハンドオーバーする準備をして応答として、 「MS Ack（承認） 要求」（MS Ack Order）メッセージをソース MC システムに伝送する。
【０２１９】
ステップS141でこのメッセージを受信したソース MC システムは、端末でハンドオフを始めるということを認識し、ハンドオフスタートを報せるために交換機のRRに「ハンドオフ開始」（Handoff Commenced）メッセージを利用して伝送する。
【０２２０】
ステップS142で端末と目標（Target） DS RNCとの間に相互通信のための無線リンクの設定及び同期合わせ作業を遂行する。
【０２２１】
ステップS143で端末のRRCは、目標（Target） DS RNCとの階層3シグナルリング設定及びDCCH(専用制御チャネル：Dedicated Control Channel）を使用するために「RRC接続再確立要求」（RRC Connection Re-establishment Request） RRCメッセージを目標（Target） DS RNCのRRCに伝送する。
【０２２２】
ステップS144でこのメッセージを受信した目標（Target） DS RNCのDS-RRCは、階層3シグナルリング設定情報とDCCHの情報とを端末に提供するために「RRC接続再確立」（RRC Connection Re-establishment） RRCメッセージを端末のRRCに伝送する。
【０２２３】
ステップS145でこのメッセージを受信した端末のRRCは、メッセージの情報を解析して目標（Target） DS RNCとの階層3シグナルリング及びDCCHを設定し、設定完了を目標（Target） DS RNCのRRCプロトコルエンティティに伝送するために「RRC接続再確立完了」（RRC Connection Re-establishment Complete）メッセージを目標（Target） RNCのRRCに伝送する。
【０２２４】
ステップS146で端末が目標（Target） RNCとの無線リンクの設定及び同期一致が完了し、無線プロトコルに対するシグナルリング設定が完了した後、端末のRRCは、ハンドオフが完了したことを「システム相互間ハンドオーバー完了」（Intersystem Handover complete） RRCメッセージを介して目標（Target） DS RNCのRRCプロトコルエンティティに伝送する。
【０２２５】
ステップS147でこのメッセージを受信した目標（Target） DS RNCは、ハンドオフが完了したことを認識し、現在端末と目標（Target） DS RNCとが通信中であることを「ハンドオフ完了」（Handoff Complete）メッセージを介して交換機のRRに伝送する。
【０２２６】
ステップS148でこのメッセージを受信した交換機のRRは、CCと内部的な通信を介してハンドオフの完了を報せる。ハンドオフ完了を認識した交換機のCCは、ソース MC システムの有線資源と無線資源とを解除するためにソース MC システムに、「消去命令」（Clear Command）メッセージを伝送する。
【０２２７】
ステップS149でこのメッセージを受信したソース MC システムは、端末と連動して設定された全ての資源とシグナルリングを解除する。
【０２２８】
ステップS150で端末との全ての資源と全てのシグナルリングが解除された後、ソース MC システムは、交換機のCCプロトコルエンティティに、端末との全ての資源と全てのシグナルリングとが解除されたことを報せる「消去命令」（Clear Command）メッセージを伝送する。
【０２２９】
添附した図13Aおよび図13Bは、本発明に係わる非同期移動通信システムにおけるハンドオフ処理方法を示すフローチャートである。この場合は、ソース非同期無線網に同期式コア網が連動し、その同期式コア網にアナログ無線網が連動する構造である。
【０２３０】
ここで、参照符号810は、同期端末(MS）、811は呼処理部(CC)、812は、同期端末810に備わる無線資源制御部(RRC)である。
【０２３１】
また、参照符号800は、非同期通信方式の非同期無線網を示し、参照符号821は、非同期無線網内のRRCを示す。
【０２３２】
また、参照符号760は、同期式コア網(ANSI-41網）を示し、763は、前記同期式コア網に備わる移動性管理部(MM)であり、761は、前記同期式コア網に備わる呼処理部(CC)を示す。また、参照符号830は、アナログ無線網を示す。
【０２３３】
まずステップS161でソース DS RNC(非同期無線網）のRRCは、DS端末のRRCに無線リンクの性能及びパワーなどを測定できる情報を提供する。この情報を利用して端末は、無線リンクを測定してその結果をソース DS RNCのRRCプロトコルエンティティに伝送し、この結果に基づいてハンドオフ可否が決定される。したがって、ソース DS RNCのRRCプロトコルエンティティは、DS端末のRRCに「測定制御」（Measurement Control） RRCメッセージを伝送する。
【０２３４】
ステップS162でソース DS RNCのRRCから「測定制御」（Measurement Control） RRCメッセージを受信した端末は、この情報を利用して無線リンクの性能及びパワーなどを測定してその結果を「測定リポート」（Measurement Report） RRCメッセージに載せてソース DS RNCの RRCに伝送する。
【０２３５】
「測定リポート」（Measurement Report） RRCメッセージを受信したソース DS RNCのRRCは、この情報を利用してハンドオフするかどうかを決定する。
【０２３６】
ハンドオフと決定された場合、ステップS163でソース DS RNCは、ハンドオフを要求する「ハンドオフ要求」（Handoff Required）メッセージを交換機(MSC）のRRに伝送する。このメッセージには、ハンドオーバーしようとする「目標アナログシステム」（Target Analog System）の情報が含まれる。
【０２３７】
ステップS164でこのメッセージを受信した交換機のRRは、ソース DS RNCがハンドオフを要求していることを認識し、メッセージの情報要素を解析してハンドオフをすべきである「目標アナログシステム」（Target Analog System）の情報を把握する。把握された「目標アナログシステム」（Target Analog System）に「ハンドオフ要求」（Handoff Request）メッセージを伝送して、「目標アナログシステム」（Target Analog System）にハンドオフが発生することを報せる。
【０２３８】
交換機のRRから「ハンドオフ要求」（Handoff Request）メッセージを受信した「目標アナログシステム」（Target Analog System）は、ハンドオフが発生することを認識し、ハンドオフが発生するソース DS RNC情報と端末の情報とを解析して貯蔵し、ハンドオフする準備をし、ハンドオフをすべきである端末に割り当てる資源があるかどうかを確認する。
【０２３９】
ハンドオフをすべきである端末に割り当てる資源がある場合には、ステップS165で「目標アナログシステム」（Target Analog System）は受信した「ハンドオフ要求」（Handoff Request）応答として、交換機のRRに「ハンドオフ要求」（Handoff Request） Ackメッセージを伝送する。
【０２４０】
ステップS166で「目標アナログシステム」（Target Analog System）から「ハンドオーバー要求」（Handover Request） Ackメッセージを受信した交換機のRRは、「目標アナログシステム」（Target Analog System）がハンドオフする準備ができたことを認識し、ソース DS RNCに「ハンドオフ命令」（Handoff Command）メッセージを伝送する。
【０２４１】
ステップS167で交換機のRRから「ハンドオフ命令」（Handoff Command）メッセージを受信したソース DS RNCは、ハンドオフすることとなる「目標アナログシステム」（Target Analog System）の情報をDS端末のRRCに「システム間ハンドオーバー命令」（Inter System Handover Command） RRCメッセージを介して伝送する。
【０２４２】
ステップS168でソース DS RNCのRRCから「システム間ハンドオーバー命令」（Inter System Handover Command）メッセージを受信したDS端末のRRCは、「目標アナログシステム」（Target Analog System）にハンドオフする準備をする。そして、応答で「直接転送」（Direct Transfer）というRRCメッセージに「MS Ack（承認） 指令」（MS Ack Order）メッセージを挿入してソース DS RNCのRRCに伝送する。
【０２４３】
ステップS169でこのメッセージを受信したソース DS RNCのRRCは、端末でハンドオフを始めるということを認識し、ハンドオフスタートを交換機のRRに報せるために「ハンドオフ開始」（Handoff Commenced）メッセージを伝送する。
【０２４４】
ステップS170で端末と「目標アナログシステム」（Target Analog System） との間に相互通信のための無線リンクの設定及び「ボコーダ」（Vocoder）を初期化し相互シグナルリングを交換する。
【０２４５】
ステップS171で周知の過程が完了した後、「目標アナログシステム」（Target Analog System）は、ハンドオフが完了したことを認識し、現在端末と「目標アナログシステム」（Target Analog System）とが通信中であることを報せるために「ハンドオフ完了」（Handoff Complete）メッセージを交換機のRRに伝送する。
【０２４６】
ステップS172でこのメッセージを受信した交換機のRRは、CCと内部的な通信を介してハンドオフの完了を報せる。ハンドオフ完了を認識した交換機のCCは、ソース DS RNCの有線資源と無線資源とを解除するためにソース DS RNCに、「消去命令」（Clear Command）メッセージを伝送する。
【０２４７】
ステップS173でこのメッセージを受信したソース DS RNCのRRCは、無線資源と有線資源とを解除すべきであるという事実を認識し、無線資源を解除するために端末のRRCに「無線方位解除」（Radio Bearer Release） RRCメッセージを伝送する。
【０２４８】
ステップS174でこのメッセージを受信した端末のRRCは、無線専用資源を解除し、この事実をDC-SAPで提供する「IF側開始無線アクセス方位解除指示」（IF Side Initiated Radio Access Bearer Release Indication）プリミティブを利用してRadio Bearer Releaseメッセージを上位のCCに伝送する。
【０２４９】
ステップS175でこのメッセージを受信した端末のCCは、端末とソース DS RNCとの間の無線専用資源が解除されたことを認識し、これに対する応答メッセージをDC-SAPで支援する「IF側開始無線アクセス方位解除指示」（IF Side Initiated Radio Access Bearer Release Indication）プリミティブを利用して「無線方位解除完了」（Radio Bearer Release Complete）メッセージを下位のRRCに伝送する。
【０２５０】
ステップS176でこのメッセージを受信した端末のRRCは、ソース DS RNCとの無線専用資源の解除が完了したことを報せる「無線方位解除完了」（Radio Bearer Release Complete） RRCメッセージをソース DS RNCのRRCに伝送する。
【０２５１】
ステップS177でこのメッセージを受信したソース RNCのRRCは、階層3シグナルリングと無線共用資源とを解除するために端末のRRCプロトコルエンティティに「RRC接続解除」（RRC Connection Release）RRCメッセージを伝送する。
【０２５２】
ステップS178でこのメッセージを受信した端末のRRCは、ソース DS RNCとの階層3シグナルリングと無線共用資源を解除すべきであることを認識し、無線共用資源を解除するということをソース DS RNCのRRCに「RRC接続解除完了」（RRC Connection Release Complete RRCメッセージを伝送した後、ソース DS RNCとの階層3シグナルリングと無線共用資源とを解除する。
【０２５３】
ステップS179でこのメッセージを受信したソース DS RNCは、端末との階層3シグナルリングと無線共用資源とが解除されたことを認識し、端末との全ての通信資源及びシグナルリングの解除が完了したことを交換機のCCに「消去完了」（Clear Complete）メッセージを介して報せる。
【０２５４】
【発明の効果】
以上で詳述した本発明"非同期移動通信システムにおける呼処理及びハンドオフ処理方法"によれば、コア網がGSM-MAP網やANSI-41網のいずれかの網に接続しても円滑な呼処理及びハンドオフ処理が可能となる利点がある。
【０２５５】
また、前記のような効果により非同期式システム加入者が同期式ANSI-41網または他の網の加入者と通話が可能となる利点がある。
【図面の簡単な説明】
【図１Ａ】  従来の同期移動通信システムの網連動構造を示す図である。
【図１Ｂ】  従来の非同期移動通信システムの網連動構造を示す図である。
【図２Ａ】  従来の同期移動通信システムの各部プロトコル階層構造を示す図である。
【図２Ｂ】  従来の非同期移動通信システムの各部プロトコル階層構造を示す図である。
【図３Ａ】  次世代同期移動通信システムにおける同期式ANSI-41コア網連動構造図である。
【図３Ｂ】 次世代同期移動通信システムにおける非同期式GSM-MAPコア網連動構造図である。
【図  ３Ｃ】 次世代非同期移動通信システムにおける非同期式GSM-MAPコア網連動構造図である。
【図  ３Ｄ】 次世代非同期移動通信システムにおける同期式ANSI-41コア網連動構造図である。
【図４Ａ】  次世代移動通信システムにおける、ANSI-41コア網と連動する同期移動通信システムのプロトコル階層構造図である。
【図  ４Ｂ】 次世代移動通信システムにおける、GSM-MAP コア網と連動する同期移動通信システムのプロトコル階層構造図である。
【図  ４Ｃ】 次世代移動通信システムにおける、ANSI-41コア網と連動する非同期移動通信システムのプロトコル階層構造図である。
【図  ４Ｄ】 次世代移動通信システムにおける、GSM-MAPコア網と連動する非同期移動通信システムのプロトコル階層構造図である。
【図５】  本発明に係わる非同期移動通信システムにおけるコア網がANSI-41網である場合の全体連動構造図である。
【図６】  本発明に係わる非同期移動通信システムにおけるコア網がANSI-41網である場合の有線区間インターフェース及び無線区間インターフェースの関係を示す図である。
【図７Ａ】  本発明に係わる非同期移動通信システムにおける呼処理方法の第1の実施の形態を示したフローチャートのはじめの部分である。
【図７Ｂ】  本発明に係わる非同期移動通信システムにおける呼処理方法の第1の実施の形態を示したフローチャートの中間部である。
【図７Ｃ】  本発明に係わる非同期移動通信システムにおける呼処理方法の第1の実施の形態を示したフローチャート終わりの部分である。
【図８】  本発明に係わる非同期移動通信システムにおける呼処理方法の第2の実施の形態を示すフローチャートである。
【図９】  本発明に係わる非同期移動通信システムにおける呼処理方法の第3の実施の形態を示すフローチャートである。
【図１０Ａ】 本発明に係わる非同期移動通信システムにおけるハンドオフ処理方法の第1の実施の形態を示すフローチャートの前半部である。
【図１０Ｂ】  本発明に係わる非同期移動通信システムにおけるハンドオフ処理方法の第1の実施の形態を示すフローチャートの後半部である。
【図１１Ａ】 本発明に係わる非同期通信システムにおけるハンドオフ処理方法の第2の実施の形態を示すフローチャートの前半部である。
【図１１Ｂ】  本発明に係わる非同期通信システムにおけるハンドオフ処理方法の第2の実施の形態を示すフローチャートの後半部である。
【図１２Ａ】  本発明に係わる非同期通信システムにおけるハンドオフ処理方法の第3の実施の形態を示すフローチャートの前半部である。
【図１２Ｂ】  本発明に係わる非同期通信システムにおけるハンドオフ処理方法の第3の実施の形態を示すフローチャートの後半部である。
【図１３Ａ】 本発明に係わる非同期通信システムにおけるハンドオフ処理方法の第4の実施の形態を示すフローチャートの前半部である。
【図１３Ｂ】 本発明に係わる非同期通信システムにおけるハンドオフ処理方法の第4の実施の形態を示すフローチャートの後半部である。
【符号の説明】
100    ハイブリッドタイプ同期端末
110    同期無線網
120、240      同期コア網
130、230      非同期コア網
210        ハイブリッドタイプ非同期端末
220        非同期無線網(UTRAN)
【図１Ａ】
0003934865.tif 000002
【図１Ｂ】
0003934865.tif 000003
【図２Ａ】
0003934865.tif 000004
【図２Ｂ】
0003934865.tif 000005
【図３Ａ】
0003934865.tif 000006
【図３Ｂ】
0003934865.tif 000007
【図３Ｃ】
0003934865.tif 000008
【図３Ｄ】
0003934865.tif 000009
【図４Ａ】
0003934865.tif 000010
【図４Ｂ】
0003934865.tif 000011
【図４Ｃ】
0003934865.tif 000012
【図４Ｄ】
0003934865.tif 000013
【図５】
0003934865.tif 000014
【図６】
0003934865.tif 000015
【図７Ａ】
0003934865.tif 000016
【図７Ｂ】
0003934865.tif 000017
【図７Ｃ】
0003934865.tif 000018
【図８】
0003934865.tif 000019
【図９】
0003934865.tif 000020
【図１０Ａ】
0003934865.tif 000021
【図１０Ｂ】
0003934865.tif 000022
【図１１Ａ】
0003934865.tif 000023
【図１１Ｂ】
0003934865.tif 000024
【図１２Ａ】
0003934865.tif 000025
【図１２Ｂ】
0003934865.tif 000026
【図１３Ａ】
0003934865.tif 000027
【図１３Ｂ】
0003934865.tif 000028